(57)【要約】【課題】多様な形態での情報の伝達を可能とする情報中継サーバ、情報中継システム、および、情報中継方法を提供する。【解決手段】情報中継システムは、複数の人が共有して利用する共有端末３０と１人の人が占有して利用する占有端末４０とを含む複数の端末と、複数の端末とネットワークを介して接続される情報中継サーバ１０とを含む。情報中継サーバ１０は、複数の端末のうちの１以上の端末から、その端末にて行われた操作に対応する操作情報を受信する受信部と、複数の端末のうちの１以上の端末を情報の送信対象として、操作情報に基づく情報を上記操作の結果として出力する出力部と、を備える。送信対象の端末は、操作情報に基づく情報に応じた動作を行う。【選択図】図１
2015018347.tif 000002
【特許請求の範囲】
【請求項１】
複数の人が共有して利用する共有端末と１人の人が占有して利用する占有端末とを含む複数の端末にネットワークを介して接続する情報中継サーバであって、
前記複数の端末のうちの１以上の端末から、その端末にて行われた操作に対応する操作情報を受信する受信部と、
前記複数の端末のうちの１以上の端末を情報の送信対象とし、前記操作情報に基づく情報を前記操作の結果として出力する出力部と、
を備える情報中継サーバ。
【請求項２】
前記複数の端末の各々は、画像を表示する表示部を備え、
前記出力部が出力する前記操作情報に基づく情報は、前記送信対象の端末に対して、前記表示部の表示に要するデータの生成を促す情報である
請求項１に記載の情報中継サーバ。
【請求項３】
前記複数の端末の各々は、画像を表示する表示部を備え、
前記出力部が出力する前記操作情報に基づく情報は、前記送信対象の端末に表示させる表示内容を規定する情報である
請求項１に記載の情報中継サーバ。
【請求項４】
前記共有端末は、画像を表示する表示部を備え、
前記共有端末の識別情報と、複数の前記共有端末の表示部によって構成される仮想的な平面での当該共有端末の位置を示す座標情報とが対応付けられた共有端末データを記憶する記憶部と、
前記共有端末データを用いて、前記情報の送信対象となる端末を決定する決定部と、
をさらに備える請求項１〜３のいずれか一項に記載の情報中継サーバ。
【請求項５】
複数の人が共有して利用する共有端末と１人の人が占有して利用する占有端末とを含む複数の端末と、
前記複数の端末とネットワークを介して接続される情報中継サーバと、
を含む情報中継システムであって、
前記情報中継サーバは、
前記複数の端末のうちの１以上の端末から、その端末にて行われた操作に対応する操作情報を受信する受信部と、
前記複数の端末のうちの１以上の端末を情報の送信対象として、前記操作情報に基づく情報を前記操作の結果として出力する出力部と、を備え、
前記送信対象の端末は、前記操作情報に基づく情報に応じた動作を行う
情報中継システム。
【請求項６】
前記複数の端末の各々は、ウェブブラウザを搭載し、
前記送信対象の端末は、ウェブブラウザが機能することによって、前記操作情報に基づく情報に応じた動作を行う
請求項５に記載の情報中継システム。
【請求項７】
前記操作情報に基づく情報に応じた動作は、前記ウェブブラウザによって表示される画像の変更を含む
請求項６に記載の情報中継システム。
【請求項８】
前記複数の端末の各々は、画像を表示する表示部を備え、
前記情報中継サーバの前記出力部は、前記送信対象の端末に、前記操作情報に基づく情報を送信し、
前記送信対象の端末は、前記情報中継サーバから受信した前記操作情報に基づく情報に応じて、前記表示部の表示に要するデータを生成し、生成したデータを用いて前記表示部に表示される画像を変更する
請求項５〜７のいずれか一項に記載の情報中継システム。
【請求項９】
前記複数の端末および前記情報中継サーバとネットワークを介して接続されるウェブサーバをさらに備える情報中継システムであって、
前記複数の端末の各々は、画像を表示する表示部を備え、
前記情報中継サーバの出力部は、前記操作情報に基づく情報として、前記送信対象の端末に表示させる表示内容を規定する指示情報を前記ウェブサーバに送信し、
前記ウェブサーバは、前記情報中継サーバから受信した前記指示情報に基づき、前記表示部の表示に要するデータを生成して、生成したデータを前記送信対象の端末に送信し、
前記送信対象の端末は、前記ウェブサーバから受信したデータを用いて、前記表示部に表示される画像を変更する
請求項５〜７のいずれか一項に記載の情報中継システム。
【請求項１０】
前記共有端末は、画像を表示する表示部を備え、
前記情報中継サーバは、
前記共有端末の識別情報と、複数の前記共有端末の表示部によって構成される仮想的な平面での当該共有端末の位置を示す座標情報とが対応付けられた共有端末データを記憶する記憶部と、
前記共有端末データを用いて、前記情報の送信対象となる端末を決定する決定部と、をさらに備える
請求項５〜９のいずれか一項に記載の情報中継システム。
【請求項１１】
複数の人が共有して利用する共有端末と１人の人が占有して利用する占有端末とを含む複数の端末と、前記複数の端末とネットワークを介して接続される情報中継サーバと、を用いて情報を中継する方法であって、
前記複数の端末のうちの１以上の端末が、その端末にて行われた操作に対応する操作情報を前記情報中継サーバに送信するステップと、
前記情報中継サーバが、前記複数の端末のうちの１以上の端末を情報の送信対象として、前記操作情報に基づく情報を前記操作の結果として出力するステップと、
前記送信対象の端末が、前記操作情報に基づく情報に応じた動作を行うステップと、
を含む情報中継方法。
【発明の詳細な説明】
【技術分野】
【０００１】
本開示の技術は、情報中継サーバ、情報中継サーバを用いた情報中継システム、および、情報中継方法に関する。
【背景技術】
【０００２】
携帯端末の利用者に情報を提供するシステムとして、公共の場に設置されたデジタルサイネージ等の設置端末と、個人が所持するスマートフォン等の携帯端末との連携を利用するシステムが知られている。例えば、特許文献１に記載のシステムでは、デジタルサイネージに表示された二次元コードがスマートフォンによって読み取られ、読み取られた二次元コードに対応する情報がスマートフォンに表示される。
【先行技術文献】
【特許文献】
【０００３】
【特許文献１】特開２０１１−１７１９０３号公報
【発明の概要】
【発明が解決しようとする課題】
【０００４】
ところで、携帯端末は、携帯端末を携帯する一人の利用者に情報を提供することの可能な機器であり、設置端末は、設置端末を利用する複数の利用者に同時に情報を提供することの可能な機器である。特許文献１に記載のシステムは、これら設置端末と携帯端末との連携を利用する一方で、その連携は、設置端末に表示された二次元コードに対応する所定の情報を、携帯端末の利用者に提供する形態である。すなわち、複数の人が共有して利用する共有端末から、１人の人が占有して利用する占有端末へ向けた情報の提供に限るものである。
【０００５】
本開示の技術は、多様な形態での情報の伝達を可能とする情報中継サーバ、情報中継システム、および、情報中継方法を提供することを目的とする。
【課題を解決するための手段】
【０００６】
上記課題を解決する情報中継サーバは、複数の人が共有して利用する共有端末と１人の人が占有して利用する占有端末とを含む複数の端末にネットワークを介して接続する情報中継サーバであって、前記複数の端末のうちの１以上の端末から、その端末にて行われた操作に対応する操作情報を受信する受信部と、前記複数の端末のうちの１以上の端末を情報の送信対象とし、前記操作情報に基づく情報を前記操作の結果として出力する出力部と、を備える。
【０００７】
上記構成によれば、共有端末と占有端末との特性の異なる２種類の端末が、情報の送信元あるいは情報の送信先として対等に扱われる。したがって、情報の送信元となる端末の種類や数についての自由度が向上するとともに、情報の送信先となる端末の種類や数についての自由度が向上する。その結果、多様な形態での情報の伝達が可能となる。
【０００８】
上記情報中継サーバにて、前記複数の端末の各々は、画像を表示する表示部を備え、前記出力部が出力する前記操作情報に基づく情報は、前記送信対象の端末に対して、前記表示部の表示に要するデータの生成を促す情報であることが好ましい。
【０００９】
上記構成によれば、情報中継サーバが、端末の表示に要するデータを生成して出力する場合と比較して、情報中継サーバの構成が簡易になる。また、出力部が出力するデータ量が小さいため、情報中継サーバの通信にかかる負荷が軽減される。
【００１０】
上記情報中継サーバにおいて、前記複数の端末の各々は、画像を表示する表示部を備え、前記出力部が出力する前記操作情報に基づく情報は、前記送信対象の端末に表示させる表示内容を規定する情報であることが好ましい。
【００１１】
上記構成によれば、情報中継サーバの出力部が、操作情報に基づく情報として、送信対象の端末に表示させる表示内容を規定する情報を出力する。したがって、端末に表示される画像等の表示内容を情報中継サーバにて管理することができる。
【００１２】
上記情報中継サーバにおいて、前記共有端末は、画像を表示する表示部を備え、前記共有端末の識別情報と、複数の前記共有端末の表示部によって構成される仮想的な平面での当該共有端末の位置を示す座標情報とが対応付けられた共有端末データを記憶する記憶部と、前記共有端末データを用いて、前記情報の送信対象となる端末を決定する決定部と、をさらに備えることが好ましい。
【００１３】
上記構成によれば、共有端末の識別情報と座標情報とが対応付けられたデータに基づいて情報の送信先となる端末が決定される。その結果、例えば、複数の共有端末の表示部が連続的な平面を構成しているように、各端末の表示部に画像を表示させ、表示内容に応じた情報の中継を行うことも可能となる。したがって、より多様な形態での情報の伝達が可能となる。
【００１４】
上記課題を解決する情報中継システムは、複数の人が共有して利用する共有端末と１人の人が占有して利用する占有端末とを含む複数の端末と、前記複数の端末とネットワークを介して接続される情報中継サーバと、を含む情報中継システムであって、前記情報中継サーバは、前記複数の端末のうちの１以上の端末から、その端末にて行われた操作に対応する操作情報を受信する受信部と、前記複数の端末のうちの１以上の端末を情報の送信対象として、前記操作情報に基づく情報を前記操作の結果として出力する出力部と、を備え、前記送信対象の端末は、前記操作情報に基づく情報に応じた動作を行う。
【００１５】
上記構成によれば、情報の送信元の端末に対して操作が行われることにより、情報中継サーバが情報を中継して、情報の送信先の端末が動作する。このとき、共有端末と占有端末との特性の異なる２種類の端末が、情報の送信元あるいは情報の送信先として対等に扱われる。したがって、情報の送信元となる端末の種類や数についての自由度が向上するとともに、情報の送信先となる端末の種類や数についての自由度が向上する。その結果、多様な形態での情報の伝達が可能となる。
【００１６】
上記情報中継システムにおいて、前記複数の端末の各々は、ウェブブラウザを搭載し、前記送信対象の端末は、ウェブブラウザが機能することによって、前記操作情報に基づく情報に応じた動作を行うことが好ましい。
【００１７】
上記構成によれば、ウェブブラウザが機能することによって、情報の送信先の端末が操作情報に基づく情報に応じた動作を行うため、端末は、こうした動作を行うための専用のアプリケーションソフトウェアを必要としない。したがって、情報の中継のために端末が必要とする構成が簡易になる。結果として、共有端末および占有端末として、様々な端末が利用できるため、情報中継システムの汎用性も高められる。
【００１８】
上記情報中継システムにおいて、前記操作情報に基づく情報に応じた動作は、前記ウェブブラウザによって表示される画像の変更を含むことが好ましい。
上記構成によれば、情報中継サーバが情報を中継することによって情報の送信先の端末が行う動作が、ウェブブラウザの基本的な機能の一つである画像の表示機能によって実現される。したがって、ウェブブラウザの機能を生かした態様で、情報の中継が行われる。
【００１９】
上記情報中継システムにおいて、前記複数の端末の各々は、画像を表示する表示部を備え、前記情報中継サーバの前記出力部は、前記送信対象の端末に、前記操作情報に基づく情報を送信し、前記送信対象の端末は、前記情報中継サーバから受信した前記操作情報に基づく情報に応じて、前記表示部の表示に要するデータを生成し、生成したデータを用いて前記表示部に表示される画像を変更することが好ましい。
【００２０】
上記構成によれば、情報中継サーバは、情報の中継のみを行い、情報の送信先の端末の表示に要するデータは、その端末にて生成される。したがって、情報中継サーバが、端末の表示に要するデータを生成して出力する場合と比較して、情報中継サーバの構成が簡易になり、また、情報中継サーバと端末との間の通信にかかる負荷が軽減される。
【００２１】
上記情報中継システムは、前記複数の端末および前記情報中継サーバとネットワークを介して接続されるウェブサーバをさらに備える情報中継システムであって、前記複数の端末の各々は、画像を表示する表示部を備え、前記情報中継サーバの出力部は、前記操作情報に基づく情報として、前記送信対象の端末に表示させる表示内容を規定する指示情報を前記ウェブサーバに送信し、前記ウェブサーバは、前記情報中継サーバから受信した前記指示情報に基づき、前記表示部の表示に要するデータを生成して、生成したデータを前記送信対象の端末に送信し、前記送信対象の端末は、前記ウェブサーバから受信したデータを用いて、前記表示部に表示される画像を変更することが好ましい。
【００２２】
上記構成によれば、情報中継サーバが、操作情報に基づいて、送信対象の端末に表示させる表示内容を規定する指示情報を生成し、指示情報に基づいて作られたデータが端末に送信されて、端末に表示される画像が変更される。したがって、端末に表示される画像等の表示内容を情報中継サーバにて管理することができる。また、情報の送信先の端末の表示に要するデータが、その端末とは異なる装置で生成されるため、端末の構成が簡易になる。また、表示内容を指示するサーバと、端末の表示に要するデータを生成するサーバとが異なるサーバであるため、同一のサーバがこれらの機能を有する場合と比較して、各サーバの構成を簡易にすることができる。
【００２３】
上記情報中継システムにおいて、前記共有端末は、画像を表示する表示部を備え、前記情報中継サーバは、前記共有端末の識別情報と、複数の前記共有端末の表示部によって構成される仮想的な平面での当該共有端末の位置を示す座標情報とが対応付けられた共有端末データを記憶する記憶部と、前記共有端末データを用いて、前記情報の送信対象となる端末を決定する決定部と、をさらに備えることが好ましい。
【００２４】
上記構成によれば、共有端末の識別情報と座標情報とが対応付けられたデータに基づいて情報の送信先となる端末が決定される。その結果、例えば、複数の共有端末の表示部が連続的な平面を構成しているように、各端末の表示部に画像を表示させ、表示内容に応じた情報の中継を行うことも可能となる。したがって、より多様な形態での情報の伝達が可能となる。
【００２５】
上記課題を解決する情報中継方法は、複数の人が共有して利用する共有端末と１人の人が占有して利用する占有端末とを含む複数の端末と、前記複数の端末とネットワークを介して接続される情報中継サーバと、を用いて情報を中継する方法であって、前記複数の端末のうちの１以上の端末が、その端末にて行われた操作に対応する操作情報を前記情報中継サーバに送信するステップと、前記情報中継サーバが、前記複数の端末のうちの１以上の端末を情報の送信対象として、前記操作情報に基づく情報を前記操作の結果として出力するステップと、前記送信対象の端末が、前記操作情報に基づく情報に応じた動作を行うステップと、を含む。
【００２６】
上記方法によれば、情報の送信元の端末に対して操作が行われることにより、情報中継サーバが情報を中継して、情報の送信先の端末が動作する。このとき、共有端末と占有端末との特性の異なる２種類の端末が、情報の送信元あるいは情報の送信先として対等に扱われる。したがって、情報の送信元となる端末の種類や数についての自由度が向上するとともに、情報の送信先となる端末の種類や数についての自由度が向上する。その結果、多様な形態での情報の伝達が可能となる。
【発明の効果】
【００２７】
本開示の技術によれば、複数の人が共有して利用する端末と１人の人が占有して利用する端末とを用いて、多様な形態で情報を伝達することができる。
【図面の簡単な説明】
【００２８】
【図１】本開示の技術における第１の実施形態での情報中継サーバと、情報中継サーバを含む情報中継システムの構成を示す構成図である。
【図２】第１の実施形態での端末に情報の中継を行うための環境が構築される手順を示すシーケンス図。
【図３】第１の実施形態での情報中継サーバによる情報の中継の手順を示すシーケンス図。
【図４】本開示の技術における第２の実施形態での情報中継サーバと、情報中継サーバを含む情報中継システムの構成を示す構成図である。
【図５】第２の実施形態での設置端末データのデータ構成の一例を示す図である。
【図６】第２の実施形態での座標情報と仮想平面上での設置端末の位置との関係を模式的に示す図である。
【図７】第２の実施形態での携帯端末データのデータ構成の一例を示す図である。
【図８】第２の実施形態での端末に情報の中継を行うための環境が構築される手順を示すシーケンス図。
【図９】第２の実施形態での情報中継サーバによる情報の中継の手順を示すシーケンス図。
【図１０】本開示の技術における第３の実施形態での情報中継サーバと、情報中継サーバを含む情報中継システムの構成を示す構成図である。
【図１１】第３の実施形態での情報中継サーバによる情報の中継の手順を示すシーケンス図。
【図１２】適用例１における情報中継システムの構成を示す構成図である。
【図１３】適用例１での情報中継サーバによる情報の中継の手順を示すシーケンス図。
【図１４】適用例２における情報中継システムの構成を示す構成図である。
【図１５】適用例２での情報中継サーバによる情報の中継の手順を示すシーケンス図。
【図１６】適用例３における情報中継システムの構成を示す構成図である。
【図１７】適用例３での情報中継サーバによる情報の中継の手順を示すシーケンス図。
【図１８】適用例４における情報中継システムの構成を示す構成図である。
【図１９】適用例４での情報中継サーバによる情報の中継の手順を示すシーケンス図。
【図２０】適用例４での情報中継サーバによる情報の中継の手順を示すシーケンス図。
【図２１】適用例５における情報中継システムの構成を示す構成図である。
【図２２】適用例５での情報中継サーバによる情報の中継の手順を示すシーケンス図。
【図２３】適用例５での情報中継サーバによる情報の中継の手順を示すシーケンス図。
【図２４】適用例５での情報中継サーバによる情報の中継の手順を示すシーケンス図。
【発明を実施するための形態】
【００２９】
（第１の実施形態）
図１〜図３を参照して、情報中継サーバ、情報中継システム、および、情報中継方法の第１の実施形態について説明する。
【００３０】
［情報中継システムの構成］
図１を参照して、情報中継システムの構成、および、情報中継システムに含まれる情報中継サーバの構成について説明する。
【００３１】
図１に示されるように、情報中継システムは、情報中継サーバ１０と、ウェブサーバ２０と、１以上の設置端末３０と、１以上の携帯端末４０と、を含む。情報中継サーバ１０とウェブサーバ２０と設置端末３０と携帯端末４０とは、インターネット等のネットワークＮＷに接続されており、情報中継サーバ１０は、設置端末３０および携帯端末４０と相互にデータを送受信する。また、ウェブサーバ２０も、設置端末３０および携帯端末４０と相互にデータを送受信する。情報中継サーバ１０は、設置端末３０および携帯端末４０とプッシュ型の通信を行う。情報中継サーバ１０と設置端末３０および携帯端末４０との通信には、ＷｅｂＳｏｃｋｅｔによる双方向通信を用いることが好ましい。
【００３２】
設置端末３０は、共有端末の一例であって、ウェブブラウザと、ウェブブラウザを起動できるＯＳ（オペレーティング・システム）とがインストールされたコンピュータ端末である。設置端末３０は、ウェブブラウザによってウェブページが表示される表示部を備えており、例えば、大型のディスプレイを有するデジタルサイネージ等に具体化される。設置端末３０は、複数の人が同時に利用できる端末であり、設置端末３０に表示される画像や、設置端末３０から発せられる音声を、複数の人が同時に視聴することができる。設置端末３０は、例えば、情報中継システムの複数の利用者が設置端末３０を見ることができる位置に設置される。あるいは、設置端末３０は、車両等に設置されて移動してもよい。設置端末３０の表示部には、ウェブサーバ２０が提供するウェブページがウェブブラウザによって表示される。
【００３３】
携帯端末４０は、占有端末の一例であって、ウェブブラウザと、ウェブブラウザを起動できるＯＳとがインストールされた携帯可能なコンピュータ端末である。携帯端末４０は、ウェブブラウザによってウェブページが表示される表示部を備えており、例えば、スマートフォン等に具体化される。携帯端末４０は、一機会につき一人の人が占有して利用する端末であり、携帯端末４０に対する操作は一人の人によって行われる。なお、互いに異なる機会であれば、互いに異なる人が同一の携帯端末４０を使用してもよい。また、携帯端末４０は、一機会に一人の人が占有して利用することを想定した構成を有していればよく、状況によっては複数の人によって同時に利用されることがあってもよい。携帯端末４０の表示部には、ウェブサーバ２０が提供するウェブページがウェブブラウザによって表示される。
【００３４】
携帯端末４０は、ユーザが行う操作を検出する入力装置を備えている。入力装置は、例えば、タッチパネルやプッシュボタン等を利用した指による入力、マイクを利用した音声による入力、カメラによって撮影された画像の認識、加速度センサーによる端末の動きの検出、磁気センサーによる端末の方位の検出、ＧＰＳ（グローバル・ポジショニング・システム）受信機による端末の位置情報の検出、ＮＦＣ（ニア・フィールド・コミュニケーション）やＢｌｕｅｔｏｏｔｈ（登録商標）やＷｉ−Ｆｉ（ワイヤレス・フィデリティー）や赤外線通信等による通信を利用した外部機器からの情報の取得、圧力や温度や湿度やにおいの検出等に基づいて、入力信号を生成する。要は、入力装置は、ユーザの動作あるいはユーザの動作に起因した周囲の環境の変化を検出して入力信号に変換する装置であればよい。
【００３５】
入力装置から所定の入力信号が入力されると、携帯端末４０は、情報中継サーバ１０にユーザによる操作が行われたことを示す操作情報を送信する。
情報中継サーバ１０は、設置端末３０と携帯端末４０とから構成される複数の端末の間で情報の中継を行うサーバである。情報中継サーバ１０は、通信部１１と、制御部１２と、記憶部１３とを備えている。通信部１１は、受信部の一例であって、情報中継サーバ１０と接続先の装置との接続処理を実行する。また、通信部１１は、接続先となる装置との間でデータの送信および受信を行う。
【００３６】
制御部１２は、出力部の一例である中継処理部１２ａを備えている。中継処理部１２ａは、情報の送信元の端末の識別や、情報の送信先の端末の識別を行う。また、中継処理部１２ａは、送信先の端末に送信する情報を整える。例えば、中継処理部１２ａは、１つの送信元の端末から送られてきた情報を、１つあるいは複数の送信先の端末へ通信部１１を介して送る。また、例えば、中継処理部１２ａは、複数の送信元の端末から送られてきた情報をまとめた情報を生成し、生成した情報を１つあるいは複数の送信先の端末へ通信部１１を介して送る。また、例えば、中継処理部１２ａは、所定の条件が満たされた場合に、送信元の端末から送られてきた情報を他の端末に送ることを制限したり、送信元の端末から送られてきた情報に他の情報を付加して送信先の端末へ送ったりする。
【００３７】
記憶部１３は、通信部１１や制御部１２の処理に必要な情報の一時的な記憶や永続的な記憶を行う。例えば、記憶部１３は、端末の識別情報を一時的に記憶する。また、例えば、記憶部１３は、中継処理部１２ａが複数の送信元の端末から送られてきた情報をまとめるための条件や、中継処理部１２ａが情報の送信の制限や送信する情報の付加を行う際の条件を含む中継プログラムを永続的に記憶する。
【００３８】
ウェブサーバ２０は、ウェブブラウザに対して、情報中継システムに用いられるウェブページの表示データを提供するサーバである。情報中継システムに用いられるウェブページには、設置端末３０に表示される設置端末用ページと携帯端末４０に表示される携帯端末用ページとが含まれる。
【００３９】
ウェブサーバ２０は、通信部２１と、制御部２２と、記憶部２３とを備えている。通信部２１は、ウェブサーバ２０と接続先の装置との接続処理を実行する。また、通信部２１は、接続先となる装置との間でデータの送信および受信を行う。
【００４０】
制御部２２は、データ読み出し部２２ａを備えている。データ読み出し部２２ａは、設置端末３０からの要求に応じて、設置端末用ページの表示に必要なデータを記憶部２３から読み出す。また、データ読み出し部２２ａは、携帯端末４０からの要求に応じて、携帯端末用ページの表示に必要なデータを記憶部２３から読み出す。
【００４１】
記憶部２３は、ウェブページデータ２３ａとして、設置端末用ページおよび携帯端末用ページの表示に必要なデータを記憶している。ウェブページデータ２３ａは、例えば、ＨＴＭＬファイルやウェブページを構成する画像ファイルあるいは音声ファイル等に具体化される。ウェブページデータ２３ａは、ウェブブラウザによって解釈可能な言語や仕様で構成されていればよく、例えば、ＨＴＭＬ（ハイパー・テキスト・マークアップ・ランゲージ）やＣＳＳ（カスケーディング・スタイル・シート）やＪａｖａＳｃｒｉｐｔ（登録商標）を用いて表現される。
【００４２】
なお、設置端末３０にも、携帯端末４０と同様に、ユーザの動作あるいはユーザの動作に起因した周囲の環境の変化を検出して入力信号に変換する入力装置が備えられてもよい。この場合、入力装置から所定の入力信号が入力されると、設置端末３０は、情報中継サーバ１０にユーザによる操作が行われたことを示す操作情報を送信する。
【００４３】
［情報の中継の手順］
図２および図３を参照して、情報中継システムによって情報が中継される手順を説明する。なお、以下では、情報中継システムが適用される情報伝達の形態の例として、複数の携帯端末４０についての操作に関する情報が複数の設置端末３０のうちの１以上の設置端末３０に伝えられて、設置端末３０の表示内容が変化する形態について説明する。まず、図２を参照して、設置端末３０および携帯端末４０に、情報の中継を行うための環境が構築される手順について説明する。
【００４４】
図２に示されるように、設置端末３０がウェブサーバ２０に、設置端末用ページの表示データを要求する（ステップＳ１０）。表示データの要求は、例えば、ＵＲＬ（ユニフォーム・リソース・ロケータ）の入力や所定のウェブサイトを通じたアクセスによって行われる。
【００４５】
設置端末３０からの要求を受けると、ウェブサーバ２０のデータ読み出し部２２ａは、要求されたＵＲＬに対応する設置端末用ページの表示データを記憶部２３のウェブページデータ２３ａから読み出す。読み出された表示データは、ウェブサーバ２０から設置端末３０に送信される（ステップＳ１１）。このとき、ウェブサーバ２０は、識別情報を付加して、表示データを設置端末３０に送信する。識別情報としてはｃｏｏｋｉｅの情報であるクッキー情報等を用いることができる。
【００４６】
ウェブサーバ２０から表示データを受信すると、設置端末３０は、ウェブブラウザを用いて、表示部に設置端末用ページを表示する（ステップＳ１２）。設置端末用ページには、例えば画像等の、携帯端末４０の操作状況によって変化する表示物が表示される領域が設けられている。また、設置端末用ページには、設置端末３０を見るユーザに対する指示等が表示されてもよい。なお、互いに異なる設置端末３０には、互いに異なる設置端末用ページが表示されてもよく、同一の設置端末用ページが表示されてもよい。
【００４７】
また、携帯端末４０がウェブサーバ２０に、携帯端末用ページの表示データを要求する（ステップＳ１３）。表示データの要求は、例えば、二次元コードやＩＣタグに含まれるＵＲＬ等の情報が携帯端末４０によって読み取られることによって、携帯端末４０が取得した情報に基づいて行われる。二次元コードやＩＣタグは、ユーザが利用可能な箇所に配置される。なお、表示データの要求は、ＵＲＬの入力や所定のウェブサイトを通じたアクセスによって行われてもよい。
【００４８】
携帯端末４０からの要求を受けると、ウェブサーバ２０のデータ読み出し部２２ａは、要求されたＵＲＬに対応する携帯端末用ページの表示データを記憶部２３のウェブページデータ２３ａから読み出す。読み出された表示データは、ウェブサーバ２０から携帯端末４０に送信される（ステップＳ１４）。このとき、ウェブサーバ２０は、クッキー情報を付加して、表示データを携帯端末４０に送信する。
【００４９】
ウェブサーバ２０から表示データを受信すると、携帯端末４０は、ウェブブラウザを用いて、表示部に携帯端末用ページを表示する（ステップＳ１５）。携帯端末用ページには、ユーザに対する携帯端末４０の操作の指示等が表示されている。なお、互いに異なる携帯端末４０には、互いに異なる携帯端末用ページが表示されてもよく、同一の携帯端末用ページが表示されてもよい。
【００５０】
なお、設置端末３０における設置端末用ページの表示と携帯端末４０による携帯端末用ページの表示とが行われる順序は任意であり、携帯端末４０による携帯端末用ページの表示が先に行われてもよく、複数の設置端末３０における設置端末用ページの表示と複数の携帯端末４０における携帯端末用ページの表示とが無作為の順序で行われてもよい。
【００５１】
また、情報中継サーバ１０と設置端末３０および携帯端末４０とがＷｅｂＳｏｃｋｅｔによる双方向通信を行う場合には、各端末への上記ウェブページの表示に加えて、設置端末３０および携帯端末４０の各々が情報中継サーバ１０にアクセスして、各端末と情報中継サーバ１０との間の接続を確立しておくことが好ましい。なお、例えば、情報中継サーバ１０とウェブサーバ２０とが１つのサーバ装置として実現される場合等、ウェブサーバ２０と設置端末３０および携帯端末４０との間の接続を情報中継サーバ１０が利用できる場合には、各端末にて上記ウェブページの表示データの取得が行われる際に、各端末と情報中継サーバ１０との間の接続を確立することができる。
【００５２】
次に、図３を参照して、情報中継サーバ１０によって情報が中継される手順を説明する。
図３に示されるように、ユーザが携帯端末４０に対して所定の操作を行うことによって、携帯端末４０の入力装置から入力信号が入力される（ステップＳ２０）。所定の操作は、例えば、携帯端末用ページにて指示されてもよいし、携帯端末４０を所持するユーザが見ることができる設置端末３０に表示される設置端末用ページにて指示されてもよい。あるいは、所定の操作は、例えばイベントの司会者等によって、口頭で指示されてもよい。所定の操作は、例えば、携帯端末４０が有するタッチパネルにて所定の図形を描く操作や、携帯端末４０を振る操作等、携帯端末４０の入力装置が検出できる操作であれば、適宜の操作が設定できる。
【００５３】
入力装置からの入力に基づいて所定の操作が行われたと判断されると、ウェブブラウザが機能して、携帯端末４０に対して所定の操作が行われたことを示す操作情報が携帯端末４０から情報中継サーバ１０に送信される（ステップＳ２１）。このとき、操作情報に加えて、携帯端末４０が有しているクッキー情報と送信先情報とが、情報中継サーバ１０に送信される。送信先情報は、携帯端末用ページの表示データに付加されている情報であって、携帯端末４０が表示データを取得する際に取得される。送信先情報は、携帯端末４０からの情報の送信先として、特定の設置端末用ページが開かれている設置端末３０を指定する情報である。
【００５４】
携帯端末４０から情報を受信すると、情報中継サーバ１０の中継処理部１２ａは、クッキー情報に基づいて携帯端末４０を識別する（ステップＳ２２）。また、中継処理部１２ａは、送信先情報と操作情報とに基づき、中継プログラムに従って、送信先の端末に送信する情報である中継情報を整える（ステップＳ２３）。中継情報は、送信先情報にて指定された設置端末用ページにアクセスしている設置端末３０に送信される（ステップＳ２４）。
【００５５】
例えば、中継処理部１２ａは、携帯端末４０から受信した操作情報そのものを中継情報としてもよいし、互いに異なる携帯端末４０から受信した操作情報をまとめた中継情報を生成してもよい。互いに異なる携帯端末４０から受信した操作情報をまとめた中継情報の例としては、例えば、同一の設置端末３０が情報の送信先として設定され、かつ、同じ操作が行われた携帯端末４０の数を計測して、合計数を中継情報とする形態が挙げられる。
【００５６】
また、中継処理部１２ａは、条件によって異なる中継情報を送信してもよい。例えば、中継処理部１２ａは、所定の条件が満たされた場合には、設置端末３０に中継情報を送ることを制限してもよいし、携帯端末４０から受信した操作情報に他の情報を付加した情報を中継情報としてもよい。あるいは、中継処理部１２ａは、所定の条件が満たされた場合にのみ、設置端末３０に中継情報を送ってもよい。
【００５７】
情報中継サーバ１０から中継情報を受信すると、設置端末３０は、中継情報に基づいて、設置端末用ページの表示内容を変更するためのデータである更新データの生成処理を実行する（ステップＳ２５）。中継情報によってどのような更新データを生成するかを規定するプログラムは、設置端末３０が設置端末用ページの表示データを取得する際に取得される。上記プログラムは、ＪａｖａＳｃｒｉｐｔ（登録商標）のようなスクリプト言語によって表示データに組み込まれているプログラムであって、ウェブブラウザによって実行されるプログラムでもよいし、表示データとは別のデータであって、ウェブブラウザと連動するソフトウェアによって実行されるプログラムでもよい。
【００５８】
設置端末３０が更新データを生成する際に、追加データを必要とする場合には、設置端末３０はウェブサーバ２０に必要な追加データの要求を行う（ステップＳ２６）。追加データは、例えば、新たな画像のデータあってもよいし、設置端末３０が画像を生成するために必要なデータでもよい。設置端末３０からの要求を受けると、ウェブサーバ２０のデータ読み出し部２２ａは、要求された追加データを記憶部２３のウェブページデータ２３ａから読み出す。読み出された追加データは、ウェブサーバ２０から設置端末３０に送信される（ステップＳ２７）。ウェブサーバ２０から追加データを受信すると、設置端末３０は、受信した追加データを用いて更新データを生成する（ステップＳ２８）。
【００５９】
更新データが生成されると、設置端末３０にて、ウェブブラウザが設置端末用ページに更新データを適用する（ステップＳ２９）。これにより、例えば、設置端末用ページに表示されている画像が変更される等、設置端末用ページに表示されている表示物が変化する。
【００６０】
［情報伝達の他の形態］
上記形態を参照して、情報中継システムが適用される情報伝達の形態の他の例について説明する。
【００６１】
まず、複数の携帯端末４０についての操作に関する情報が複数の設置端末３０と複数の携帯端末４０とのうちの１以上の端末に伝えられて、情報が伝えられた端末の表示内容が変化する形態について説明する。この場合、携帯端末用ページには、その携帯端末４０あるいは他の携帯端末４０の操作状況によって変化する表示物が表示される領域が設けられる。そして、携帯端末用ページの表示データに付加されている送信先情報では、その携帯端末４０からの情報の送信先として、特定の設置端末用ページあるいは携帯端末用ページが開かれている端末が指定されている。
【００６２】
先の図３に示される処理手順にこの形態が適用された場合、ステップＳ２４の処理では、送信先情報にて指定された設置端末用ページあるいは携帯端末用ページにアクセスしている端末に、中継情報が送信される。そして、ステップＳ２５〜ステップＳ２９の処理では、中継情報を受信した端末にて、更新データの生成と適用とが行われる。これにより、中継情報を受信した端末にて、設置端末用ページあるいは携帯端末用ページに表示されている表示物が変化する。
【００６３】
次に、複数の設置端末３０についての操作に関する情報が複数の携帯端末４０のうちの１以上の携帯端末４０に伝えられて、携帯端末４０の表示内容が変化する形態について説明する。この場合、設置端末３０は、入力装置を備えている。また、携帯端末用ページには、設置端末３０の操作状況によって変化する表示物が表示される領域が設けられる。設置端末用ページには、操作状況によって変化する表示物が表示される領域は設けられていなくてもよい。設置端末用ページの表示データには送信先情報が付加されており、送信先情報では、その設置端末３０からの情報の送信先として、特定の携帯端末用ページが開かれている携帯端末４０が指定されている。
【００６４】
先の図３に示される処理手順にこの形態が適用された場合、ステップＳ２０、ステップＳ２１の処理では、設置端末３０の入力装置にて入力が行われ、設置端末３０から情報中継サーバ１０に操作情報が送信される。そして、ステップＳ２４の処理では、送信先情報にて指定された携帯端末用ページにアクセスしている携帯端末４０に、中継情報が送信される。そして、ステップＳ２５〜ステップＳ２９の処理では、中継情報を受信した携帯端末４０にて、更新データの生成と適用とが行われる。これにより、中継情報を受信した携帯端末４０にて、携帯端末用ページに表示されている表示物が変化する。
【００６５】
また、上記形態を組み合わせることによって、複数の設置端末３０についての操作に関する情報が複数の設置端末３０と複数の携帯端末４０とのうちの１以上の端末に伝えられて、情報が伝えられた端末の表示内容が変化する形態にも情報中継システムが適用できる。
【００６６】
また、上記形態を組み合わせることによって、複数の設置端末３０と複数の携帯端末４０についての操作に関する情報が複数の設置端末３０と複数の携帯端末４０とのうちの１以上の端末に伝えられて、情報が伝えられた端末の表示内容が変化する形態にも情報中継システムが適用できる。
【００６７】
このように、情報中継サーバ１０を用いた情報中継システムでは、情報中継サーバ１０や設置端末３０や携帯端末４０の構成を大きく変更することなく、様々な形態での情報の伝達が可能である。
【００６８】
また、上記形態において、情報中継サーバ１０は、端末の操作情報に加えて、端末の表示内容の変更状況を示す情報である変更情報を中継してもよい。例えば、携帯端末４０からの操作情報が情報中継サーバ１０によって中継されて設置端末３０の表示内容が変更された場合に、設置端末３０が変更情報を情報中継サーバ１０に送信する。情報中継サーバ１０は、設置端末３０から受信した変更情報に基づいて中継情報を生成して、中継情報を操作情報の送信元である携帯端末４０に送信する。携帯端末４０は、情報中継サーバ１０から受信した中継情報に基づいて、更新データの生成と適用とを行う。これにより、設置端末３０における表示内容の変化に応じて、携帯端末４０における表示内容が変化する。こうした構成によれば、より多様な形態で情報の伝達を行うことができる。
【００６９】
なお、上記の各形態では、送信先情報として、複数の送信先が指定されていてもよい。また、情報の送信元である端末が情報の送信先となってもよい。また、上記の各形態において、情報の送信先あるいは送信元となる設置端末３０は１つであってもよい。また、情報の送信先あるいは送信元となる携帯端末４０は１つであってもよい。要は、情報の送信先あるいは送信元として、設置端末３０と携帯端末４０とが少なくとも１つずつ含まれていればよい。
【００７０】
また、中継情報を受信した端末が行う動作は、表示内容の変更に限られない。例えば、音声の出力や、端末の振動や、端末に備えられたＬＥＤライトの点灯や、端末に接続された外部ディスプレイやロボット等の外部機器の駆動等、ウェブブラウザを通じた制御が可能な出力方法によって、中継情報に応じた動作が行われればよい。
【００７１】
また、操作情報を送信した端末にて表示内容が変化してもよい。この場合、端末が操作情報を送信することに基づいて、上述の表示データに組み込まれているプログラムによって表示内容が変更される。
【００７２】
［作用］
第１の実施形態の情報中継サーバ１０、および、情報中継サーバ１０を用いた情報中継システムの作用について説明する。
【００７３】
情報中継システムでは、情報の送信元の端末に対して操作が行われると、情報中継サーバ１０が情報を中継することにより、情報の送信先の端末が動作する。情報中継サーバ１０は、複数の人が共有して利用する端末である設置端末３０と、１人の人が占有して利用する端末である携帯端末４０との特性の異なる２種類の端末を、情報の送信元あるいは情報の送信先として対等に扱う。したがって、情報の送信元となる端末の種類や数についての自由度が向上するとともに、情報の送信先となる端末の種類や数についての自由度が向上する。その結果、上述のような様々な形態での情報の伝達が可能となる。
【００７４】
設置端末３０と携帯端末４０とが用いられる情報伝達の形態では、同一の人が設置端末３０と携帯端末４０とを同時に利用することもできる。例えば、複数の人が、各人ごとの携帯端末４０を操作しながら、同一の設置端末３０を観ることができる。したがって、情報の送信元の端末と送信先の端末とが、１人の人が占有して利用する端末のみである場合と比較して、本実施形態の情報中継システムは、多様な形態での情報の伝達に利用できる。また、設置端末３０と携帯端末４０との関係が、表示装置と操作装置という関係に固定されず、各端末が、表示装置もしくは操作装置、あるいは表示装置と操作装置とを兼ねる装置になり得る。こうした点からも、本実施形態の情報中継システムは、多様な形態での情報の伝達に利用できる。
【００７５】
また、情報中継サーバ１０は、情報の中継のみを行い、情報の送信先の端末における表示内容を変更するためのデータは、その端末にて生成される。したがって、表示内容を変更するためのデータを情報中継サーバ１０が生成して端末に送信する場合と比較して、情報中継サーバ１０が保持するデータ量が少ないため、情報中継サーバ１０の構成が簡易になる。また、情報中継サーバ１０が端末に送信するデータ量も少ないため、情報中継サーバ１０と端末との間の通信にかかる負荷が軽減される。
【００７６】
また、ウェブブラウザが機能することによって、情報の送信先の端末が、操作情報に基づく情報である中継情報に応じた動作を行う。したがって、端末は、中継情報に応じた動作を行うための専用のアプリケーションソフトウェアを必要としないため、端末の構成が簡易になる。通常、ウェブブラウザは、インターネットへの接続機能を有する装置の多くにインストールされている一般的なソフトウェアである。したがって、設置端末３０および携帯端末４０として、新たなソフトウェアをインストールすることなく、様々な装置が利用できるため、情報中継システムの汎用性が高められる。
【００７７】
また、画像の表示機能は、ウェブブラウザが有する基本的な機能の一つであるため、中継情報に応じた動作としてウェブブラウザによって表示される画像の変更が行われることが好ましい。これによれば、ウェブブラウザの機能を生かした態様で、情報の中継が行われる。
【００７８】
以上説明したように、第１の実施形態によれば、以下の効果が得られる。
（１）設置端末３０と携帯端末４０との特性の異なる２種類の端末が、情報の送信元あるいは情報の送信先として対等に扱われる。したがって、多様な形態での情報の伝達が可能となる。
【００７９】
（２）情報の送信先の端末における表示部の表示に要するデータが、その端末にて生成される。したがって、情報中継サーバ１０が、送信先の端末の表示に要するデータを生成して端末に送信する場合と比較して、情報中継サーバ１０の構成が簡易になり、また、情報中継サーバ１０と端末との間の通信にかかる負荷が軽減される。
【００８０】
（３）ウェブブラウザが機能することによって、情報の送信先の端末が中継情報に応じた動作を行うため、端末が、中継情報に応じた動作を行うための専用のアプリケーションソフトウェアを必要としない。その結果、端末の構成が簡易になる。
【００８１】
（４）中継情報に応じた動作として、ウェブブラウザによって表示される画像の変更が行われるため、ウェブブラウザの機能を生かした態様で、情報の中継が行われる。
なお、第１の実施形態は、以下のように変更して実施することが可能である。
【００８２】
・情報中継サーバ１０が、端末からのアクセスごとに端末を異なる端末として認識してもよい場合には、クッキー情報は付加されなくてもよい。
・端末が情報中継サーバ１０に送信する送信先情報は、ユーザの選択に基づいて設定されてもよい。例えば、携帯端末用ページに、ユーザが携帯端末４０に対して行う操作を反映させる設置端末３０を選択する欄が表示され、こうした欄への入力に応じた送信先情報が情報中継サーバ１０に送信されてもよい。
【００８３】
（第２の実施形態）
図４〜図９を参照して、情報中継サーバ、情報中継システム、および、情報中継方法の第２の実施形態について説明する。第２の実施形態は、情報中継サーバが、設置端末と携帯端末との情報を管理し、情報の送信先を決定する点が第１の実施形態と異なる。以下では、第１の実施形態との相違点を中心に説明し、第１の実施形態と実質的に同一の構成要素にはそれぞれ同一の符号を付して示し、重複する説明は割愛する。
【００８４】
［情報中継システムの構成］
図４を参照して、情報中継システムの構成、および、情報中継システムに含まれる情報中継サーバの構成について説明する。
【００８５】
第２の実施形態において、複数の設置端末３０および複数の携帯端末４０の各々には、端末の識別情報が割り当てられている。設置端末３０の各々には、各設置端末３０に固有の識別情報である設置端末ＩＤが割り当てられている。携帯端末４０の各々には、各携帯端末４０に固有の識別情報である携帯端末ＩＤが割り当てられている。設置端末ＩＤは、設置端末３０に記憶され、携帯端末ＩＤは携帯端末４０に記憶されている。
【００８６】
情報中継サーバ１０の制御部１２は、中継処理部１２ａに加えて、決定部の一例である端末管理部１２ｂを備えている。端末管理部１２ｂは、設置端末ＩＤや携帯端末ＩＤ等の設置端末３０や携帯端末４０に関する情報を記憶部１３へ登録する。また、端末管理部１２ｂは、記憶部１３に記憶されている情報を参照して、設置端末３０あるいは携帯端末４０から送信された情報の送り先となる端末を決定する。
【００８７】
情報中継サーバ１０の記憶部１３は、設置端末データ１３ａと携帯端末データ１３ｂとを記憶している。設置端末データ１３ａと携帯端末データ１３ｂとは、端末管理部１２ｂによって記憶部１３に登録される。
【００８８】
設置端末データ１３ａでは、設置端末ＩＤと座標情報とが対応付けられている。座標情報は、Ｘ軸とＹ軸とを有する直交座標系に複数の設置端末３０を配置したと仮定した場合における各設置端末３０の座標を示す。換言すれば、座標情報は、複数の設置端末３０の表示部が並べられることによって形成される１つの仮想的な平面における各設置端末３０の位置情報である。なお、設置端末データ１３ａでは、座標情報に加えて、設置端末３０の現実の設置場所等の設置端末３０の特徴を示す属性情報が設置端末ＩＤと対応付けられていてもよい。
【００８９】
携帯端末データ１３ｂでは、携帯端末ＩＤと携帯端末４０の属性情報とが対応付けられている。携帯端末４０の属性情報には、例えば、携帯端末４０の位置情報等の携帯端末４０に関する情報や、携帯端末４０が情報中継システムを利用して情報の送信を行った回数等の携帯端末４０による情報の授受の経過情報や、ユーザの性別等の携帯端末４０を所持するユーザに関する情報等が含まれる。
【００９０】
なお、記憶部１３は、設置端末データ１３ａと携帯端末データ１３ｂに加えて、通信部１１や制御部１２の処理に必要な情報の一時的な記憶や永続的な記憶を行う。例えば、記憶部１３は、中継処理部１２ａが中継情報を生成する際の条件を含む中継プログラムや、端末管理部１２ｂが情報の送り先を決定する際の条件を含む送信先決定プログラムを永続的に記憶する。
【００９１】
［情報中継サーバが有するデータの構成］
図５および図６を参照して、設置端末データ１３ａのデータ構成について説明する。
図５に示されるように、設置端末データ１３ａでは、設置端末ＩＤと座標情報とが対応付けられている。例えば、「Ａ５０７」という設置端末ＩＤには、「Ｘ１、Ｙ１」という座標情報が対応付けられ、「Ｃ３１２」という設置端末ＩＤには、「Ｘ２、Ｙ１」という座標情報が対応付けられ、「Ａ４５９」という設置端末ＩＤには、「Ｘ３、Ｙ１」という座標情報が対応付けられている。
【００９２】
図６に示されるように、Ｘ軸とＹ軸とを有する直交座標系によって表現される仮想的な平面において、複数の設置端末３０の表示部は、連続的な平面を構成している。設置端末データ１３ａにて、図５に示されるような設置端末ＩＤと座標情報との対応付けがなされている場合、上述の仮想的な平面であるＸＹ平面において、「Ａ５０７」という設置端末ＩＤを有する設置端末３０は、座標（Ｘ１、Ｙ１）に位置する。また、ＸＹ平面において、「Ｃ３１２」という設置端末ＩＤを有する設置端末３０は、座標（Ｘ２、Ｙ１）に位置し、「Ａ４５９」という設置端末ＩＤを有する設置端末３０は、座標（Ｘ３、Ｙ１）に位置する。
【００９３】
すなわち、図６にて、設置端末ＩＤ「Ｃ３１２」の設置端末３０の表示部の左側に、設置端末ＩＤ「Ａ５０７」の設置端末３０の表示部が配置され、設置端末ＩＤ「Ｃ３１２」の設置端末３０の表示部の右側に、設置端末ＩＤ「Ａ４５９」の設置端末３０の表示部が配置されるように、３つの設置端末３０の表示部が連続的な平面を構成している。
【００９４】
このように、設置端末ＩＤと座標情報とが対応付けられることによって、連続的な平面を構成する複数の設置端末３０について、各設置端末３０の他の設置端末３０に対する相対的な位置関係が規定される。
【００９５】
設置端末ＩＤと座標情報との対応付けは、各設置端末３０の現実の設置場所や各設置端末３０に表示される内容等を考慮して、予め設定され、設置端末データ１３ａとして記憶部１３に登録される。なお、設置端末データ１３ａでは、上述のように、座標情報に加えて、設置端末３０の現実の設置場所の位置情報等の属性情報が設置端末ＩＤと対応付けられていてもよい。なお、図６では、同一のサイズの表示部をタイル状に並べた例で説明したが、サイズの異なる表示部を用いて連続的な平面を構成させてもよい。
【００９６】
図７を参照して、携帯端末データ１３ｂのデータ構成について説明する。携帯端末データ１３ｂは、携帯端末４０が携帯端末用ページの表示データを取得した後に、携帯端末４０から情報中継サーバ１０に携帯端末ＩＤ等の情報が送信されることによって構築される。
【００９７】
図７に示されるように、携帯端末データ１３ｂでは、携帯端末ＩＤと携帯端末４０の属性情報とが対応付けられている。属性情報は、例えば、位置情報と参加回数とを含む。位置情報は、携帯端末４０が携帯端末ＩＤを情報中継サーバ１０に送信した際の、携帯端末４０の位置情報であって、緯度および経度で表される。位置情報は、携帯端末４０が備えるＧＰＳ受信機によって取得されて、携帯端末ＩＤとともに情報中継サーバ１０に送信される。
【００９８】
参加回数は、携帯端末４０が情報中継システムを利用した回数であり、情報中継サーバ１０が携帯端末４０から同一の携帯端末ＩＤを受信した回数として情報中継サーバ１０によって計測される。
【００９９】
属性情報は、位置情報および参加回数に代えて、あるいは、位置情報および参加回数に加えて、他の情報を含んでいてもよい。要は、属性情報は、携帯端末４０が情報中継サーバ１０に送信できる情報、もしくは、情報中継サーバ１０が記録できる情報であればよい。
【０１００】
携帯端末４０が情報中継サーバ１０に送信できる情報としては、例えば、携帯端末４０の機種情報や携帯端末４０が搭載しているＯＳの種類等の、携帯端末４０に関する情報が挙げられる。また、携帯端末４０が情報中継サーバ１０に送信できる情報は、例えば、性別や年齢等のユーザに関する情報であって、携帯端末用ページでの指示に基づいてユーザが携帯端末４０に入力する情報であってもよい。
【０１０１】
情報中継サーバ１０が記録できる情報としては、例えば、携帯端末４０から情報中継サーバ１０に操作情報が送られた回数等の、携帯端末４０による情報の授受の経過情報が挙げられる。また、例えば、情報システムの利用によってポイントが付与される形態に情報中継システムが適用される場合には、その時点までに付与されたポイントが、情報の授受の経過情報として記録されてもよい。
【０１０２】
携帯端末データ１３ｂは、携帯端末４０から情報中継サーバ１０に携帯端末ＩＤ等の情報が送信されたときにのみ構築されてもよい。あるいは、例えば、携帯端末４０から情報中継サーバ１０に操作情報が送られた回数が属性情報とされる場合等、情報の中継によって情報中継サーバ１０が新たな属性情報を取得する場合には、携帯端末データ１３ｂは新たな属性情報が取得される度に更新されてもよい。
【０１０３】
［情報の中継の手順］
図８および図９を参照して、情報中継システムによって情報が中継される手順を説明する。なお、以下では、情報中継システムが適用される情報伝達の形態の例として、複数の携帯端末４０についての操作に関する情報が複数の設置端末３０のうちの１以上の設置端末３０に伝えられて、設置端末３０の表示内容が変化する形態について説明する。
【０１０４】
まず、図８を参照して、設置端末３０および携帯端末４０に、情報の中継を行うための環境が構築される手順について説明する。なお、図８に示される処理は、先の図２に示される第１の実施形態での処理と比較して、ステップＳ３６およびステップＳ３７の処理が主に異なっている。したがって、以下では、これらの処理について詳しく説明する。
【０１０５】
図８に示されるように、設置端末３０がウェブサーバ２０に設置端末用ページの表示データを要求して、ウェブサーバ２０が表示データを設置端末３０に送信することにより、設置端末３０の表示部に設置端末用ページが表示される（ステップＳ３０〜ステップＳ３２）。また、携帯端末４０がウェブサーバ２０に携帯端末用ページの表示データを要求して、ウェブサーバ２０が表示データを携帯端末４０に送信することにより、携帯端末４０の表示部に携帯端末用ページが表示される（ステップＳ３３〜ステップＳ３５）。なお、第２の実施形態では、設置端末ＩＤおよび携帯端末ＩＤによって端末の識別が行われるため、クッキー情報は送信されなくてもよい。また、設置端末用ページの表示内容は、各設置端末３０の設置端末ＩＤに対応付けられている座標情報に従った配列で、複数の設置端末３０の表示部が連続した平面を構成するように、設定されている。
【０１０６】
携帯端末用ページが表示された後に、携帯端末４０は、携帯端末ＩＤと、属性情報のうち携帯端末４０が情報中継サーバ１０に提供する情報とを、情報中継サーバ１０に送信する（ステップＳ３６）。携帯端末ＩＤと属性情報との送信は、携帯端末用ページでの指示に従って、ユーザが携帯端末４０を操作することに基づいて行われてもよいし、表示データの取得時に携帯端末４０が取得するプログラムによって自動的に行われてもよい。
【０１０７】
携帯端末４０から携帯端末ＩＤと属性情報とを受信すると、情報中継サーバ１０の端末管理部１２ｂは、携帯端末ＩＤと属性情報とを対応付けて、携帯端末データ１３ｂとして記憶部１３に登録する（ステップＳ３７）。このとき、端末管理部１２ｂは、属性情報として情報中継サーバ１０が記録している情報も携帯端末ＩＤに対応付けて登録する。これにより、携帯端末データ１３ｂが構築される。
【０１０８】
次に、図９を参照して、情報中継サーバ１０によって情報が中継される手順を説明する。なお、図９に示される処理は、先の図３に示される第１の実施形態での処理と比較して、ステップＳ４１〜ステップＳ４５の処理が主に異なっている。したがって、以下では、これらの処理について詳しく説明する。
【０１０９】
図９に示されるように、ユーザが携帯端末４０に対して所定の操作を行うことによって、携帯端末４０の入力装置から入力信号が入力される（ステップＳ４０）。入力装置からの入力に基づいて所定の操作が行われたと判断されると、操作情報と携帯端末ＩＤとが携帯端末４０から情報中継サーバ１０に送信される（ステップＳ４１）。なお、第２の実施形態では、情報中継サーバ１０が情報の送信先の端末を決定するため、携帯端末４０は送信先情報を取得していない。したがって、携帯端末４０は情報中継サーバ１０に送信先情報を送信しない。
【０１１０】
携帯端末４０から情報を受信すると、情報中継サーバ１０の中継処理部１２ａは、携帯端末ＩＤに基づいて携帯端末４０を識別する（ステップＳ４２）。そして、情報中継サーバ１０の端末管理部１２ｂは、情報の送信先となる設置端末３０を特定する（ステップＳ４３）。端末管理部１２ｂは、設置端末データ１３ａや携帯端末データ１３ｂに基づき、送信先決定プログラムに従って、情報の送信先となる設置端末３０を決定する。
【０１１１】
例えば、設置端末データ１３ａにて設置端末ＩＤと位置情報とが対応付けられ、携帯端末データ１３ｂにて携帯端末ＩＤと位置情報とが対応付けられている場合、端末管理部１２ｂは、携帯端末ＩＤに対応付けられている位置情報に最も地理的に近い位置情報と対応付けられている設置端末ＩＤに対応する設置端末３０を、情報の送信先とする。また例えば、端末管理部１２ｂは、参加回数や性別等、携帯端末データ１３ｂにて携帯端末ＩＤと対応付けられている位置情報以外の属性情報に応じて、情報の送信先となる設置端末３０を決定してもよい。
【０１１２】
また例えば、端末管理部１２ｂは、設置端末データ１３ａにて設置端末ＩＤと対応付けられている座標情報に基づいて、情報の送信先となる設置端末３０を決定してもよい。例えば、端末管理部１２ｂは、操作情報を受信した順番に、携帯端末４０に対して、座標情報によって規定される設置端末３０の配列順に従った順番で、情報の送信先となる設置端末３０を割り当てる。
【０１１３】
また例えば、端末管理部１２ｂは、携帯端末４０から送信された操作情報の内容や操作情報を受信した時刻に応じて、情報の送信先となる設置端末３０を決定してもよい。
要は、端末管理部１２ｂが、記憶部１３に記憶されている情報に基づいて情報の送信先の端末を決定する態様であれば、端末管理部１２ｂが送信先の端末を決定する際に用いるデータや送信先の端末を決定するための条件は限定されない。
【０１１４】
このような送信元の端末に対する送信先の端末の割り当ては、携帯端末４０から操作情報を受信する度に、端末管理部１２ｂによって決定されてもよい。あるいは、送信先の端末の決定に操作情報や更新された属性情報が用いられない場合には、送信元の端末に対する送信先の端末の割り当ては、設置端末データ１３ａと携帯端末データ１３ｂとが構築された時点で端末管理部１２ｂによって決定されて、記憶部１３に登録されてもよい。
【０１１５】
情報の送信先となる設置端末３０が特定されると、中継処理部１２ａは、送信先と操作情報とに基づいて、中継情報を整える（ステップＳ４４）。中継情報は、端末管理部１２ｂによって送信先として特定された設置端末３０に送信される（ステップＳ４５）。
【０１１６】
情報中継サーバ１０から中継情報を受信すると、設置端末３０は、中継情報に基づいて更新データの生成処理を実行する（ステップＳ４６）。更新データの生成に追加データを必要とする場合には、設置端末３０はウェブサーバ２０に必要な追加データの要求を行って、ウェブサーバ２０は設置端末３０に追加データを送信する（ステップＳ４７、ステップＳ４８）。設置端末３０は、ウェブサーバ２０から受信した追加データを用いて更新データを生成する（ステップＳ４９）。
【０１１７】
更新データが生成されると、設置端末３０にて、ウェブブラウザが設置端末用ページに更新データを適用する（ステップＳ５０）。これにより、設置端末用ページに表示されている表示物が変化する。
【０１１８】
［情報伝達の他の形態］
第２の実施形態の情報中継システムは、上記形態に第１の実施形態と同様の変形を加えることによって、情報伝達の他の形態にも適用できる。
【０１１９】
すなわち、送信元の端末に対する送信先の端末の割り当てが変更されることによって、複数の携帯端末４０についての操作に関する情報が複数の設置端末３０と複数の携帯端末４０とのうちの１以上の端末に伝えられる形態や、複数の設置端末３０についての操作に関する情報が複数の携帯端末４０のうちの１以上の携帯端末４０に伝えられる形態にも、情報中継システムが適用できる。また、複数の設置端末３０についての操作に関する情報が複数の設置端末３０と複数の携帯端末４０とのうちの１以上の端末に伝えられる形態や、複数の設置端末３０と複数の携帯端末４０についての操作に関する情報が複数の設置端末３０と複数の携帯端末４０とのうちの１以上の端末に伝えられる形態にも、情報中継システムが適用できる。
【０１２０】
上記形態において、設置端末３０が情報の送信元となる場合には、端末管理部１２ｂは、設置端末データ１３ａにて設置端末ＩＤと対応付けられている座標情報に基づいて、情報の送信先となる端末を決定してもよい。例えば、座標情報によって、ＸＹ平面における位置が送信元の設置端末３０と隣接する位置に設定されている設置端末３０が、情報の送信先の端末に決定される。
【０１２１】
また、上記形態において、情報中継サーバ１０は、端末の操作情報に加えて、端末の表示内容の変更状況を示す情報である変更情報を中継してもよい。例えば、情報中継サーバ１０は、座標情報によって、ＸＹ平面における位置が送信元の設置端末３０と隣接する位置に設定されている設置端末３０に変更情報を送信する。これによれば、連続的な平面を構成する複数の設置端末３０において、連続的に画像が表示される。
【０１２２】
また、上記形態において、設置端末データ１３ａおよび携帯端末データ１３ｂは、情報の送信先の決定に限らず、例えば、情報中継サーバ１０が、設置端末３０に中継情報を送ることを制限する際の条件の判定に用いられてもよい。
【０１２３】
［作用］
第２の実施形態の情報中継サーバ１０、および、情報中継サーバ１０を用いた情報中継システムの作用について説明する。
【０１２４】
第２の実施形態の情報中継システムでは、情報中継サーバ１０が、記憶部１３に記憶されている情報に基づいて、情報の送信先の端末を決定する。したがって、例えば、操作情報を受信した順番や、各端末から操作情報を受信した回数等、変化する情報に基づいて送信先を決定することも可能となる。結果として、送信先の複雑な振り分けが可能となるため、より多様な形態での情報の伝達が可能となる。
【０１２５】
また、設置端末データ１３ａとして各設置端末３０を差別化する情報が管理され、携帯端末データ１３ｂとして各携帯端末４０を差別化する情報が管理される。これらの情報を用いて、送信先の端末の決定や中継情報の送信の制限等が行われることにより、情報をより複雑に中継することができる。その結果、情報中継システムの用途が多様化される。
【０１２６】
また、設置端末データ１３ａでは、設置端末３０の識別情報と、複数の設置端末３０の表示部によって構成される仮想的な平面における当該設置端末３０の位置を示す座標情報とが対応付けられている。設置端末データ１３ａを用いて送信先の端末の決定が行われることによって、例えば、複数の設置端末３０の表示部が連続的な平面を構成しているように、各端末の表示部に画像を表示させ、表示内容に応じた情報の中継を行うことも可能となる。したがって、より多様な形態での情報の伝達が可能となる。
【０１２７】
以上説明したように、第２の実施形態によれば、第１の実施形態の（１）〜（４）の効果に加えて、以下の効果が得られる。
（５）情報中継サーバ１０が、情報の送信先の端末を決定するため、送信先の複雑な振り分けも可能となる結果、より多様な形態での情報の伝達が可能となる。
【０１２８】
（６）設置端末ＩＤと座標情報とが対応付けられた設置端末データ１３ａを用いて送信先の端末の決定が行われるため、複数の設置端末３０の表示部が構成する連続的な平面内での表示内容に応じた情報の中継も可能となる。その結果、より多様な形態での情報の伝達が可能となる。
【０１２９】
なお、第２の実施形態は、以下のように変更して実施することが可能である。
・上述形態では、設置端末データ１３ａは、予め記憶部１３に登録されるものとしたが、設置端末データ１３ａも、携帯端末データ１３ｂと同様の手順で構築されてもよい。すなわち、設置端末３０は、設置端末用ページの表示データを取得した後に、設置端末ＩＤ等の情報を情報中継サーバ１０に送信する。そして、情報中継サーバ１０の端末管理部１２ｂが、受信した設置端末ＩＤに座標情報を割り当てて、設置端末データ１３ａとして記憶部１３に登録する。
【０１３０】
また、予め情報中継システムの利用者の登録が行われる場合等には、携帯端末４０による携帯端末用ページの表示データの取得よりも前に、携帯端末データ１３ｂが構築されてもよい。
【０１３１】
また、端末が操作情報を初めて情報中継サーバ１０に送信した際に、端末ＩＤ等が登録されて、設置端末データ１３ａや携帯端末データ１３ｂが構築されてもよい。
・設置端末データ１３ａでは、すべての設置端末ＩＤが座標情報と対応付けられていなくてもよい。すなわち、情報管理システムには、連続的な平面を構成する設置端末３０に加えて、連続的な平面を構成しない独立した設置端末３０が含まれてもよい。
【０１３２】
・複数の設置端末３０によって構成される平面の数が、２以上であってもよい。例えば、Ｘ軸とＹ軸とを有する直交座標系と、Ｍ軸とＮ軸とを有する直交座標系との、互いに異なる２つの直交座標系が設定されて、設置端末データ１３ａでは、設置端末ＩＤに、いずれかの座標系における座標が対応付けられてもよい。
【０１３３】
・設置端末データ１３ａでは、設置端末ＩＤが属性情報のみと対応付けられてもよい。すなわち、複数の設置端末３０によって連続的な平面が構成されなくてもよい。
・携帯端末データ１３ｂにて携帯端末ＩＤと対応付けられている属性情報には、ＳＮＳ（ソーシャル・ネットワーキング・サービス）等の会員制のウェブサイトにおけるユーザの会員情報が含まれてもよい。会員情報は、会員制のウェブサイトの会員が、ウェブサイトにログインする際に用いるログインＩＤやパスワード等の認証情報を含む。
【０１３４】
会員情報は、例えば、携帯端末用ページでの指示に基づいて、ユーザによって携帯端末４０に入力され、携帯端末４０から情報中継サーバ１０に携帯端末ＩＤとともに送信される。ユーザが会員情報を入力する過程では、情報中継サーバ１０がユーザに代わって会員制のウェブサイトを提供するサーバにアクセスすることについてのユーザの承認が行われる。
【０１３５】
情報中継サーバ１０は、会員情報を用いて会員制のウェブサイトを提供するサーバにアクセスすることによって、ユーザの性別や年齢等の属性情報を取得してもよい。また、情報中継サーバ１０は、例えば、携帯端末４０から特定の操作情報を受信した場合等、所定の条件が満たされたときに、上記サーバに文章や画像等の情報を送信して、ユーザに代わってウェブサイトに文章や画像をアップロードしてもよい。また、情報中継サーバ１０は、上記サーバにアクセスして、ユーザが利用しているユーザ名やユーザを紹介するプロフィール画像等を取得し、取得した画像等が設置端末用ページや携帯端末用ページに表示されてもよい。この場合、情報中継サーバ１０が、取得した画像をウェブサーバ２０に送信して、ウェブサーバ２０が、設置端末用ページあるいは携帯端末用ページの表示データに画像を組み込む。
【０１３６】
こうした構成によれば、会員制のウェブサイトを提供するサーバが有する情報を、情報中継システムによる情報の中継に利用することができるため、より多様な形態での情報の伝達が可能となる。また、会員制のウェブサイトを提供するサーバが有する情報を、ユーザによる多量の情報の入力を要さずに、情報中継サーバ１０が取得できる。
【０１３７】
なお、第１の実施形態において、端末の識別が、第２の実施形態と同様に行われてもよい。すなわち、端末からの情報中継サーバ１０に情報が送信される際に、設置端末ＩＤもしくは携帯端末ＩＤが送信され、情報中継サーバ１０は、これらの端末ＩＤに基づいて、端末を識別する。この場合、設置端末データ１３ａと携帯端末データ１３ｂとは構築されず、設置端末ＩＤと携帯端末ＩＤとは端末の識別にのみ利用される。また、属性情報が、情報中継サーバ１０による情報の中継の過程で蓄積される情報のみである場合には、クッキー情報に属性情報が含められてもよい。
【０１３８】
（第３の実施形態）
図１０および図１１を参照して、情報中継サーバ、情報中継システム、および、情報中継方法の第３の実施形態について説明する。第３の実施形態は、情報中継サーバが、送信元の端末から受信した情報に基づいて、情報の送信先の端末における表示の変更内容を指示する点が第１の実施形態と異なる。以下では、第１の実施形態との相違点を中心に説明し、第１の実施形態と実質的に同一の構成要素にはそれぞれ同一の符号を付して示し、重複する説明は割愛する。
【０１３９】
［情報中継システムの構成］
図１０を参照して、情報中継システムの構成、および、情報中継システムに含まれる情報中継サーバの構成について説明する。第３の実施形態では、情報中継サーバ１０とウェブサーバ２０とが相互にデータを送受信する。情報中継サーバ１０とウェブサーバ２０との間でのデータの送受信に用いられるネットワークは、設置端末３０や携帯端末４０が接続されたネットワークＮＷと同一のネットワークでもよいし、異なるネットワークでもよい。
【０１４０】
図１０に示されるように、情報中継サーバ１０の制御部１２は、中継処理部１２ａに加えて、出力部の一例である指示情報生成部１２ｃを備えている。
指示情報生成部１２ｃは、送信元の端末から受信した操作情報に基づいて、指示情報を生成する。指示情報は、設置端末用ページの表示内容を変更するためのデータである更新データの内容を指示する情報である。指示情報は、例えば、表示内容の変化後に端末に表示される画像のデータそのものでもよいし、更新データの生成に用いられる画像を指定する情報でもよい。生成された指示情報はウェブサーバ２０に送信される。
【０１４１】
なお、中継処理部１２ａは、情報の送信元の端末の識別や、情報の送信先の端末の識別を行う一方で、中継情報の生成は行わない。
また、記憶部１３は、指示情報生成部１２ｃが指示情報を生成する際の条件を含む生成プログラムを永続的に記憶する。
【０１４２】
ウェブサーバ２０の制御部２２は、データ読み出し部２２ａに加えて、データ変換部２２ｂを備えている。データ変換部２２ｂは、情報中継サーバ１０から受信した指示情報に基づいて、更新データを生成する。例えば、データ変換部２２ｂは、指示情報に含まれる画像や、ウェブページデータ２３ａに記憶されている画像であって、指示情報によって指定された画像をＨＴＭＬファイルに埋め込むことによって、ウェブブラウザによって表示可能なデータを生成する。生成された指示情報は、情報中継サーバ１０が指定した端末に送信される。
【０１４３】
［情報の中継の手順］
図１１を参照して、情報中継システムによって情報が中継される手順を説明する。なお、以下では、情報中継システムが適用される情報伝達の形態の例として、複数の携帯端末４０についての操作に関する情報が複数の設置端末３０のうちの１以上の設置端末３０に伝えられて、設置端末３０の表示内容が変化する形態について説明する。なお、設置端末３０および携帯端末４０に、情報の中継を行うための環境が構築される手順は、先の図２に示される第１の実施形態と同様であるため、説明を割愛する。また、図１１に示される処理は、先の図３に示される第１の実施形態での処理と比較して、ステップＳ６４〜ステップＳ６７の処理が主に異なっている。したがって、以下では、これらの処理について詳しく説明する。
【０１４４】
図１１に示されるように、ユーザが携帯端末４０に対して所定の操作を行うことによって、携帯端末４０の入力装置から入力信号が入力される（ステップＳ６０）。入力装置からの入力に基づいて所定の操作が行われたと判断されると、操作情報が携帯端末４０から情報中継サーバ１０に送信される（ステップＳ６１）。このとき、操作情報に加えて、携帯端末４０が有しているクッキー情報と送信先情報とが、情報中継サーバ１０に送信される。
【０１４５】
携帯端末４０から情報を受信すると、情報中継サーバ１０の中継処理部１２ａは、クッキー情報に基づいて携帯端末４０を識別する（ステップＳ６２）。また、中継処理部１２ａは送信先情報に基づいて、情報の送信先となる設置端末３０を特定する（ステップＳ６３）。
【０１４６】
情報中継サーバ１０の指示情報生成部１２ｃは、送信先情報と操作情報とに基づき、生成プログラムに従って、指示情報を生成する（ステップＳ６４）。生成プログラムは、送信先情報と操作情報とによってどのような指示情報を生成するかを規定する。
【０１４７】
指示情報が生成されると、情報中継サーバ１０は、指示情報と情報の送信先となる設置端末３０についての情報とをウェブサーバ２０に送信する（ステップＳ６５）。
情報中継サーバ１０から情報を受信すると、ウェブサーバ２０のデータ変換部２２ｂは、指示情報に基づいて、更新データを生成する（ステップＳ６６）。更新データが生成されると、ウェブサーバ２０は、情報中継サーバ１０から受信した情報の送信先となる設置端末３０についての情報に基づいて、指定された設置端末３０に更新データを送信する（ステップＳ６７）。
【０１４８】
なお、情報中継サーバ１０が指示情報を設置端末３０に送信し、設置端末３０からウェブサーバ２０にデータの生成を要求することで、ステップＳ６６の更新データの生成が行われてもよい。すなわち、指示情報は、情報中継サーバ１０から直接ウェブサーバ２０に送信されるか、あるいは、端末を介してウェブサーバ２０に送信される。
【０１４９】
ウェブサーバ２０から更新データを受信すると、設置端末３０では、ウェブブラウザが設置端末用ページに更新データを適用する（ステップＳ６８）。これにより、設置端末用ページに表示されている表示物が変化する。
【０１５０】
このように、第３の実施形態では、情報の送信先である設置端末３０は、更新データの生成を行わず、外部の装置から受信した更新データを設置端末用ページに適用する。
［情報伝達の他の形態］
第３の実施形態の情報中継システムは、上記形態に第１の実施形態と同様の変形を加えることによって、情報伝達の他の形態にも適用できる。
【０１５１】
すなわち、複数の携帯端末４０についての操作に関する情報が複数の設置端末３０と複数の携帯端末４０とのうちの１以上の端末に伝えられる形態や、複数の設置端末３０についての操作に関する情報が複数の携帯端末４０のうちの１以上の携帯端末４０に伝えられる形態にも、情報中継システムが適用できる。また、複数の設置端末３０についての操作に関する情報が複数の設置端末３０と複数の携帯端末４０とのうちの１以上の端末に伝えられる形態や、複数の設置端末３０と複数の携帯端末４０についての操作に関する情報が複数の設置端末３０と複数の携帯端末４０とのうちの１以上の端末に伝えられる形態にも、情報中継システムが適用できる。
【０１５２】
また、上記形態において、情報中継サーバ１０は、端末の操作情報に加えて、端末の表示内容の変更状況を示す情報である変更情報を中継してもよい。
［作用］
第３の実施形態の情報中継サーバ１０、および、情報中継サーバ１０を用いた情報中継システムの作用について説明する。
【０１５３】
第３の実施形態の情報中継システムでは、情報中継サーバ１０が、操作情報に基づいて端末における表示の変更内容を指示する指示情報を生成し、ウェブサーバ２０が、指示情報に基づいて端末の表示内容を変更するために必要なデータを生成する。そして、生成された変更データが端末に送信されて、端末の表示内容が変更される。したがって、情報の送信先の端末の表示内容を変更するためのデータが、その端末とは異なる装置で生成されるため、端末の構成が簡易になる。
【０１５４】
また、情報中継サーバ１０が、情報の送信先の端末における表示の変更内容を管理することができる。したがって、表示の変更内容が条件によって複雑に変わる場合であっても、表示の変更内容を適切に制御できる。また、端末の表示内容を指示するサーバと、端末の表示内容を変更するためのデータを生成するサーバとが異なるサーバであるため、同一のサーバがこれらの機能を有する場合と比較して、各サーバの構成を簡易にすることができる。
【０１５５】
以上説明したように、第３の実施形態によれば、第１の実施形態の（１）、（３）、（４）の効果に加えて、以下の効果が得られる。
（７）情報の送信先の端末に表示されるデータが、その端末とは異なる装置で生成されるため、端末の構成が簡易になる。
【０１５６】
（８）情報中継サーバ１０が、情報の送信先の端末に表示させる表示内容を規定する情報を生成する。したがって、端末に表示される画像等の表示内容を情報中継サーバにて管理することができる。また、指示情報を生成するサーバと、端末に表示されるデータを生成するサーバとが異なるサーバであるため、同一のサーバがこれらの機能を有する場合と比較して、各サーバの構成を簡易にすることができる。
【０１５７】
なお、第３の実施形態は、以下のように変更して実施することが可能である。
・情報中継サーバ１０が、送信先情報と操作情報とに基づいて、ウェブブラウザによって表示可能なデータを生成してもよい。すなわち、情報中継サーバ１０が変更データを生成して、情報の送信先となる端末に送信してもよい。要は、情報の送信先である設置端末３０もしくは携帯端末４０とは異なる装置が変更データを生成する態様であれば、上記（７）の効果は得られる。
【０１５８】
・第２の実施形態と第３の実施形態が組み合わされてもよい。すなわち、情報中継サーバ１０が、端末管理部１２ｂおよび指示情報生成部１２ｃを備えて、情報の送信先の決定と指示情報の生成とを行ってもよい。
【０１５９】
・第１の実施形態と第３の実施形態とが組み合わされてもよい。すなわち、条件に応じて、情報中継サーバ１０が情報の中継のみを行う場合と、情報中継サーバ１０が端末における表示内容の指示を行う場合とが、情報中継サーバ１０によって選択されてもよい。
【０１６０】
（他の実施の形態）
上述の各実施形態は、以下のように変更して実施することが可能である。
・情報中継システムは、複数の情報中継サーバ１０を含んでもよい。この場合、各端末から操作情報が送信される情報中継サーバ１０が、予め設定される。互いに異なる情報中継サーバ１０が情報を送信する端末は、互いに異なってもよいし、同一であってもよい。例えば、１つの設置端末３０に表示される設置端末用ページに、表示内容が変更される領域が複数設けられて、各領域では、互いに異なる情報中継サーバ１０から送信された情報に基づいて表示内容が変更されてもよい。また、情報中継システムは、複数のウェブサーバ２０を含んでもよい。この場合、各端末がウェブページの表示データを取得するウェブサーバ２０、および、情報中継サーバ１０が指示情報を送信するウェブサーバ２０が、予め設定される。
【０１６１】
・情報中継サーバ１０の有する機能とウェブサーバ２０の有する機能とが１つのサーバによって実現されてもよい。
・端末がウェブブラウザとは異なるアプリケーションソフトウェアを搭載し、このアプリケーションソフトウェアが機能することによって、情報の送信先の端末が、操作情報に基づく情報に応じた動作を行ってもよい。
【０１６２】
（適用例）
上記の実施形態の情報中継サーバ、情報中継システム、および、情報中継方法を具体的な情報伝達の形態に適用した例について説明する。
【０１６３】
＜適用例１：人気投票＞
図１２および図１３を参照して、適用例１について説明する。適用例１では、アイドルやキャラクター等の人気投票に第１の実施形態の情報中継システムが用いられる。なお、投票対象は人物に限らず物品や音楽等であってもよい。
【０１６４】
図１２に示されるように、適用例１の情報中継システムは、設置端末３０の一例である個別サイネージ３０ａおよび全体サイネージ３０ｂと、携帯端末４０の一例であるスマートフォン４０ａとを含む。
【０１６５】
個別サイネージ３０ａと全体サイネージ３０ｂとは、街頭に設置されるデジタルサイネージ等に具体化され、例えば、投票対象の数に応じた数の個別サイネージ３０ａと１つの全体サイネージ３０ｂとが用意される。個別サイネージ３０ａには、１つの投票対象についての得票が表示され、全体サイネージ３０ｂには、すべての投票対象についての得票が表示される。スマートフォン４０ａは、タッチパネルを備えている。
【０１６６】
適用例１では、スマートフォン４０ａの所定の箇所がタップされると、情報中継サーバ１０が情報を中継して、個別サイネージ３０ａおよび全体サイネージ３０ｂに表示されている得票の状態が変化する。
【０１６７】
図１３を参照して、適用例１における情報の中継の手順について説明する。
まず、各端末がウェブサーバ２０から表示データを取得することにより、各端末にウェブページが表示される（ステップＳ１００）。例えば、個別サイネージ３０ａに表示される設置端末用ページには、投票対象となる人物の画像と、得票を示すグラフ等が表示される。互いに異なる個別サイネージ３０ａには、互いに異なる設置端末用ページが表示され、各設置端末用ページには、互いに異なる投票対象が表示される。全体サイネージ３０ｂに表示される設置端末用ページには、すべての投票対象の各々についての得票を示すグラフ等が表示される。
【０１６８】
スマートフォン４０ａに表示される携帯端末用ページには、例えば、図１２の画面Ａに示されるように、投票する際の操作の指示等が表示される。ここで、例えば、投票対象としてＡさんが表示されている個別サイネージ３０ａに表示されている二次元コードＣａをスマートフォン４０ａが読み取ると、スマートフォン４０ａには、Ａさんに投票するための携帯端末用ページが表示される。同様に、投票対象としてＢさんが表示されている個別サイネージ３０ａに表示されている二次元コードＣｂをスマートフォン４０ａが読み取ると、スマートフォン４０ａには、Ｂさんに投票するための携帯端末用ページが表示される。すなわち、各個別サイネージ３０ａに表示されている二次元コードは、その個別サイネージ３０ａに表示されている投票対象に投票するための携帯端末用ページのＵＲＬ情報を有している。ユーザは、投票したい人物が表示されている個別サイネージ３０ａの二次元コードをスマートフォン４０ａで読み取る。なお、個別サイネージ３０ａには、二次元コードに代えて、ＵＲＬ情報を有するＩＣタグが備えられていてもよい。
【０１６９】
ユーザがスマートフォン４０ａの表示部をタップすることによって、スマートフォン４０ａの入力装置から入力信号が入力される（ステップＳ１０１）。そして、スマートフォン４０ａに対してタップが行われたことを示す操作情報が、スマートフォン４０ａから情報中継サーバ１０に送信される（ステップＳ１０２）。操作情報とともに送信される送信先情報には、情報の送信先として、携帯端末用ページに示されている投票対象に対応する個別サイネージ３０ａと、全体サイネージ３０ｂとを指定する情報が含まれている。
【０１７０】
スマートフォン４０ａから情報を受信すると、情報中継サーバ１０の中継処理部１２ａは、クッキー情報に基づいてスマートフォン４０ａを識別する（ステップＳ１０３）。また、中継処理部１２ａは、送信先情報と操作情報とに基づき、個別サイネージ３０ａに送信する中継情報と全体サイネージ３０ｂに送信する中継情報とを整える（ステップＳ１０４）。そして、中継情報が、個別サイネージ３０ａと全体サイネージ３０ｂとにそれぞれ送信される（ステップＳ１０５）。ここでは、中継情報は、１台のスマートフォンでタップが行われたことを示す情報であって、個別サイネージ３０ａと全体サイネージ３０ｂにおける表示内容を指示する情報ではない。全体サイネージ３０ｂに送信される中継情報には、どの投票対象に投票が行われたかを示す情報も含まれている。
【０１７１】
個別サイネージ３０ａは、情報中継サーバ１０から中継情報を受信すると、中継情報に基づき、必要に応じてウェブサーバ２０から追加データを取得して、設置端末用ページの表示内容を変更するための更新データを生成する（ステップＳ１０６）。例えば、更新データは、個別サイネージ３０ａに表示されているグラフの得票数を１つ増やした画像のデータである。更新データが生成されると、個別サイネージ３０ａにて、更新データが適用される（ステップＳ１０７）。これにより、例えば、設置端末用ページに表示されているグラフの得票数が１つ増える等、個別サイネージ３０ａの表示内容が変化する。
【０１７２】
全体サイネージ３０ｂも、情報中継サーバ１０から中継情報を受信すると、中継情報に基づき、必要に応じてウェブサーバ２０から追加データを取得して、設置端末用ページの表示内容を変更するための更新データを生成する（ステップＳ１０８）。例えば、更新データは、全体サイネージ３０ｂに表示されている投票対象のうち、中継情報によって伝えられた投票対象の得票数を１つ増やした画像のデータである。更新データが生成されると、全体サイネージ３０ｂにて、更新データが適用される（ステップＳ１０９）。これにより、例えば、設置端末用ページに表示されている投票対象のうち、中継情報を受信した個別サイネージ３０ａに表示されている投票対象に対応する投票対象の得票数が１つ増える等、全体サイネージ３０ｂの表示内容が変化する。
【０１７３】
スマートフォン４０ａでは、情報中継サーバ１０からの処理結果の通知（ステップＳ１１０）を受けて、携帯端末用ページにおける表示内容の変更が行われる（ステップＳ１１１）。表示内容の変更に必要なデータは、必要に応じてウェブサーバ２０から追加データを取得して、スマートフォン４０ａが生成する。表示内容が変更された後の携帯端末用ページには、例えば、図１２の画面Ｂに示されるように、イベントの招待券やクーポン等のユーザへの報酬が表示されてもよい。なお、携帯端末用ページにおける表示内容の変更は、個別サイネージ３０ａや全体サイネージ３０ｂから、得票数を増やす画像の変更がなされたことを示す変更情報が情報中継サーバ１０に送信され、その変更情報に基づく中継情報が情報中継サーバ１０からスマートフォン４０ａに送信されることによって行われてもよい。こうした場合には、得票の合計数に応じて、携帯端末用ページに表示される内容が異なってもよい。
【０１７４】
以上のように、適用例１では、スマートフォン４０ａに対してタップが行われることに基づいて、個別サイネージ３０ａおよび全体サイネージ３０ｂに表示されている特定の投票対象の得票が変化する。なお、例えば、スマートフォン４０ａに対して連続して行われたタップの回数が多いほど、個別サイネージ３０ａおよび全体サイネージ３０ｂに表示される得票数が多くなるようにしてもよい。この場合、スマートフォン４０ａが、連続して行われたタップの回数に応じた操作情報を情報中継サーバ１０に送信し、情報中継サーバ１０が操作情報に応じた中継情報を個別サイネージ３０ａおよび全体サイネージ３０ｂに送信する。
【０１７５】
なお、適用例１では、第１の実施形態の情報中継システムが適用される例を説明した。これに代えて、第３の実施形態の情報中継システム、すなわち、情報中継サーバ１０が端末の表示内容を指示する情報中継システムによっても、スマートフォン４０ａの操作に基づいて、個別サイネージ３０ａおよび全体サイネージ３０ｂの表示内容を適用例１と同様に変化させることができる。
【０１７６】
＜適用例２：デジタルピールオフ広告＞
図１４および図１５を参照して、適用例２について説明する。適用例２では、ピールオフ広告によるクーポンの配布に第２の実施形態の情報中継システムが用いられる。なお、適用例２では、携帯端末４０が操作情報を情報中継サーバ１０に送信した際に、携帯端末データ１３ｂが構築される。また、設置端末ＩＤは、座標情報と対応付けられておらず、端末の識別にのみ利用される。
【０１７７】
図１４に示されるように、適用例２の情報中継システムは、設置端末３０の一例であるサイネージ３０ｃと、携帯端末４０の一例であるスマートフォン４０ｂとを含む。サイネージ３０ｃは、駅等に設置されるデジタルサイネージ等に具体化される。サイネージ３０ｃには、複数のクーポンが表示される。スマートフォン４０ｂは、加速度センサーを備えている。
【０１７８】
適用例２では、スマートフォン４０ｂに対して引っ張る操作が行われると、情報中継サーバ１０が情報を中継して、サイネージ３０ｃに表示されているクーポンがちぎり取られる。
【０１７９】
図１５を参照して、適用例２における情報の中継の手順について説明する。
まず、各端末がウェブサーバ２０から表示データを取得することにより、各端末にウェブページが表示される（ステップＳ２００）。例えば、サイネージ３０ｃに表示される設置端末用ページには、図１４の画面Ｃに示されるように、ピールオフ広告状に並ぶ複数のクーポンが表示される。各クーポンには、クーポンの内容とクーポンを識別するシリアルコードとが記載されている。スマートフォン４０ｂに表示される携帯端末用ページには、図１４の画面Ｅに示されるように、シリアルコードを入力する欄や操作の指示等が表示される。携帯端末用ページは、例えば、サイネージ３０ｃに表示されているＩＣタグＣｃが有する情報をスマートフォン４０ｂが読み取ることによって、スマートフォン４０ｂに表示される。なお、サイネージ３０ｃには、ＩＣタグに代えて、ＵＲＬ情報を有する二次元コードが備えられていてもよい。
【０１８０】
ユーザは、サイネージ３０ｃに表示されるクーポンのうち、自分が取得したいクーポンのシリアルコードを携帯端末用ページに入力し、スマートフォン４０ｂを振って、クーポンを引っ張るような動作を行う。ユーザの操作に伴い、スマートフォン４０ｂの入力装置から入力信号が入力される（ステップＳ２０１）。スマートフォン４０ｂは、スマートフォン４０ｂを振る操作が行われたことと、入力されたシリアルコードとを示す操作情報を、情報中継サーバ１０に送信する（ステップＳ２０２）。また、スマートフォン４０ｂは、操作情報とともに、そのスマートフォン４０ｂが有する携帯端末ＩＤを情報中継サーバ１０に送信する。
【０１８１】
スマートフォン４０ｂから情報を受信すると、情報中継サーバ１０の中継処理部１２ａは、携帯端末ＩＤに基づいてスマートフォン４０ｂを識別する（ステップＳ２０３）。そして、端末管理部１２ｂが、携帯端末ＩＤと操作情報とに基づいて、携帯端末ＩＤと、スマートフォン４０ｂが振られた回数を示す属性情報とを対応付けて携帯端末データ１３ｂとして登録する（ステップＳ２０４）。端末管理部１２ｂは、携帯端末データ１３ｂに基づいて、情報の送信先となる端末を決定する（ステップＳ２０５）。具体的には、端末管理部１２ｂは、携帯端末ＩＤと対応付けられているスマートフォン４０ｂが振られた回数が、所定の回数未満である場合、サイネージ３０ｃのみを送信先とする。
【０１８２】
中継処理部１２ａは、操作情報と端末管理部１２ｂが決定した送信先とに基づき、サイネージ３０ｃに送信する中継情報を整え（ステップＳ２０６）、中継情報は、サイネージ３０ｃに送信される（ステップＳ２０７）。ここで、中継情報は、スマートフォン４０ｂで操作が行われたことを示す情報であって、サイネージ３０ｃにおける表示内容を指示する情報ではない。中継情報には、スマートフォン４０ｂから送信されたシリアルコードに基づく情報として、対象となるクーポンを示す情報も含まれている。
【０１８３】
サイネージ３０ｃは、情報中継サーバ１０から中継情報を受信すると、中継情報に基づき、必要に応じてウェブサーバ２０から追加データを取得して、更新データを生成する（ステップＳ２０８）。例えば、更新データは、サイネージ３０ｃに表示されているクーポンのうち、中継情報によって伝えられたクーポンが引っ張られて動く画像のデータである。更新データが生成されると、サイネージ３０ｃにて、更新データが適用される（ステップＳ２０９）。これにより、例えば、設置端末用ページに表示されているクーポンが動く等、サイネージ３０ｃの表示内容が変化する。
【０１８４】
そして、端末管理部１２ｂによって、携帯端末ＩＤと対応付けられているスマートフォン４０ｂが振られた回数が、所定の回数以上であると判断されるまで、ステップＳ２０１〜ステップＳ２０９の処理が繰り返される。携帯端末データ１３ｂには、スマートフォン４０ｂが振られた回数が蓄積されて登録される。これにより、ユーザがスマートフォン４０ｂを振るほど、サイネージ３０ｃに表示されているクーポンが動く。
【０１８５】
ステップＳ２０５にて、スマートフォン４０ｂが振られた回数が所定の回数以上であると判断されると、端末管理部１２ｂは、サイネージ３０ｃとスマートフォン４０ｂとを送信先とする。この場合、ステップＳ２０６にて、中継処理部１２ａは、サイネージ３０ｃに送信する中継情報とスマートフォン４０ａに送信する中継情報とを整える。ステップＳ２０７では、サイネージ３０ｃとスマートフォン４０ｂとの各々に中継情報が送信される。
【０１８６】
ステップＳ２０８およびステップＳ２０９では、中継情報を受信したサイネージ３０ｃが、中継情報に基づいて更新データを生成して、更新データを適用する。ここでは、更新データは、例えば、サイネージ３０ｃに表示されているクーポンがちぎれて消える画像のデータである。これにより、例えば、図１４の画面Ｄに示されるように、設置端末用ページに表示されているクーポンがちぎれてはがされた状態になる等、サイネージ３０ｃの表示内容が変化する。
【０１８７】
スマートフォン４０ｂは、情報中継サーバ１０から中継情報を受信すると、中継情報に基づき、必要に応じてウェブサーバ２０から追加データを取得して、更新データを生成する（ステップＳ２１０）。例えば、更新データは、クーポンが所得されたことを示す画像のデータである。更新データが生成されると、スマートフォン４０ｂにて、更新データが適用される（ステップＳ２１１）。これにより、例えば、図１４の画面Ｆに示されるように、携帯端末用ページにクーポンの内容が表示される等、スマートフォン４０ｂの表示内容が変化する。
【０１８８】
以上のように、適用例２では、スマートフォン４０ｂに対して引っ張る操作が行われることに基づいて、サイネージ３０ｃに表示されている特定のクーポンがちぎり取られる。
なお、情報中継サーバ１０が、複数のスマートフォン４０ｂからの情報をサイネージ３０ｃへ中継することにより、複数のユーザが同時にクーポンの取得に参加できるようにしてもよい。また、同一のユーザが複数回クーポンを取得した場合には、取得したクーポンの種類や数によって、その後のクーポンの取得を制限してもよい。この場合、例えば、携帯端末データ１３ｂに、各スマートフォン４０ｂによって取得されたクーポンの数や種類が、携帯端末ＩＤと対応付けられて登録され、取得されたクーポンの数や種類に応じて、スマートフォン４０ｂからサイネージ３０ｃへの情報の中継が制限される。
【０１８９】
また、サイネージ３０ｃに表示されるクーポンがすべてなくなった場合に、新しいクーポンがサイネージ３０ｃに表示されるように、サイネージ３０ｃにて更新データが生成されてもよい。
【０１９０】
なお、適用例２では、第２の実施形態の情報中継システムが適用される例を説明したが、第１の実施形態第や第３の実施形態の情報中継システムによっても、スマートフォン４０ｂの操作に基づいて、サイネージ３０ｃやスマートフォン４０ｂの表示内容を適用例２と同様に変化させることができる。第１の実施形態のように、携帯端末データ１３ｂが構築されない場合には、サイネージ３０ｃから、クーポンがちぎれてはがされた状態に画像の変更がなされたことを示す変更情報が情報中継サーバ１０に送信される。そして、その変更情報に基づく中継情報が情報中継サーバ１０からスマートフォン４０ｂに送信されることによって、スマートフォン４０ｂにおける表示内容が変更される。
【０１９１】
＜適用例３：スポーツバーで応援合戦＞
図１６および図１７を参照して、適用例３について説明する。適用例３では、サッカー等のスポーツの応援合戦に第１の実施形態の情報中継システムが用いられる。
【０１９２】
図１６に示されるように、適用例３の情報中継システムは、設置端末３０の一例である店舗サイネージ３０ｄおよび全体サイネージ３０ｅと、携帯端末４０の一例であるスマートフォン４０ｃとを含む。
【０１９３】
店舗サイネージ３０ｄと全体サイネージ３０ｅとは、デジタルサイネージ等に具体化され、店舗サイネージ３０ｄは応援合戦に参加するスポーツバーの各店舗に設置され、全体サイネージ３０ｅは街頭に設置される。店舗サイネージ３０ｄには、その店舗でのユーザの応援の盛り上がりの程度を示す応援レベルが表示され、全体サイネージ３０ｅには、すべての店舗について、各店舗でのユーザの応援の盛り上がりの程度を示す応援レベルが表示される。スマートフォン４０ｃは、加速度センサーと音声の出力装置を備えている。
【０１９４】
適用例３では、スマートフォン４０ｃがシェイクされると、情報中継サーバ１０が情報を中継して、店舗サイネージ３０ｄおよび全体サイネージ３０ｅに表示されている応援レベルが変化する。
【０１９５】
図１７を参照して、適用例３における情報の中継の手順について説明する。
まず、各端末がウェブサーバ２０から表示データを取得することにより、各端末にウェブページが表示される（ステップＳ３００）。例えば、店舗サイネージ３０ｄに表示される設置端末用ページには、応援レベルを示すメーター等が表示される。全体サイネージ３０ｅに表示される設置端末用ページには、地図上に各店舗の位置や各店舗の応援レベルを示すメーターが表示される。
【０１９６】
スマートフォン４０ｃに表示される携帯端末用ページには、例えば、図１６の画面Ｇに示されるように、操作の指示やブブゼラの画像等が表示される。携帯端末用ページは、例えば、店舗サイネージ３０ｄに表示されているＩＣタグや二次元コードをスマートフォン４０ｃが読み取ることによって、スマートフォン４０ｃに表示される。
【０１９７】
スポーツバーで放映されている試合の状況に応じて、ユーザがスマートフォン４０ｃをシェイクすることによって、スマートフォン４０ｃの入力装置から入力信号が入力される（ステップＳ３０１）。そして、スマートフォン４０ｃがシェイクされたことを示す操作情報が、スマートフォン４０ｃから情報中継サーバ１０に送信される（ステップＳ３０２）。操作情報とともに送信される送信先情報には、情報の送信先として、スマートフォン４０ｃが読み取ったＩＣタグや二次元コードを備えている店舗サイネージ３０ｄと、全体サイネージ３０ｅとを指定する情報が含まれている。
【０１９８】
スマートフォン４０ｃでは、操作情報が送信されることに基づいて、図１６の画面Ｈに示されるように、ウェブブラウザが機能してブブゼラの音が出力される（ステップＳ３０３）。
【０１９９】
スマートフォン４０ｃから情報を受信すると、情報中継サーバ１０の中継処理部１２ａは、クッキー情報に基づいてスマートフォン４０ｃを識別する（ステップＳ３０４）。また、中継処理部１２ａは、送信先情報と操作情報とに基づき、店舗サイネージ３０ｄに送信する中継情報と全体サイネージ３０ｅに送信する中継情報とを生成する（ステップＳ３０５）。例えば、中継処理部１２ａは、一定時間内に、同一の店舗サイネージ３０ｄを送信先として操作情報を送信したスマートフォン４０ｃの数を集計して、その数を示す情報を中継情報とする。全体サイネージ３０ｅに送信される中継情報には、どの店舗で応援が行われたかを示す情報も含まれている。中継情報は、店舗サイネージ３０ｄと全体サイネージ３０ｅとにそれぞれ送信される（ステップＳ３０６）。
【０２００】
店舗サイネージ３０ｄは、情報中継サーバ１０から中継情報を受信すると、中継情報に基づき、必要に応じてウェブサーバ２０から追加データを取得して、更新データを生成する（ステップＳ３０７）。例えば、更新データは、同時にシェイクされたスマートフォン４０ｃの数に応じて、店舗サイネージ３０ｄに表示されている応援のレベルを増減した画像のデータである。更新データが生成されると、店舗サイネージ３０ｄにて、更新データが適用される（ステップＳ３０８）。これにより、例えば、設置端末用ページに表示されている応援レベルが上がる等、店舗サイネージ３０ｄの表示内容が変化する。
【０２０１】
全体サイネージ３０ｅも、情報中継サーバ１０から中継情報を受信すると、中継情報に基づき、必要に応じてウェブサーバ２０から追加データを取得して、更新データを生成する（ステップＳ３０９）。例えば、更新データは、全体サイネージ３０ｅに表示されている店舗のうち、中継情報によって伝えられた店舗の応援のレベルを増減した画像のデータである。更新データが生成されると、全体サイネージ３０ｅにて、更新データが適用される（ステップＳ３１０）。これにより、例えば、設置端末用ページに表示されている店舗のうち、中継情報を受信した店舗サイネージ３０ｄがある店舗の応援レベルが上がる等、全体サイネージ３０ｅの表示内容が変化する。
【０２０２】
以上のように、適用例３では、スマートフォン４０ｃがシェイクされることに基づいて、店舗サイネージ３０ｄおよび全体サイネージ３０ｅに表示されている応援レベルが変化する。また、スマートフォン４０ｃがシェイクされることに基づいて、スマートフォン４０ｃから音声が出力される。
【０２０３】
なお、全体サイネージ３０ｅにおける表示内容の変更は、店舗サイネージ３０ｄから、応援レベルが上がる画像の変更がなされたことを示す変更情報が情報中継サーバ１０に送信され、その変更情報に基づく中継情報が情報中継サーバ１０から全体サイネージ３０ｅに送信されることによっても実現できる。
【０２０４】
なお、適用例３では、第１の実施形態の情報中継システムが適用される例を説明した。これに代えて、第３の実施形態の情報中継システム、すなわち、情報中継サーバ１０が端末の表示内容を指示する情報中継システムによっても、スマートフォン４０ｃの操作に基づいて、店舗サイネージ３０ｄおよび全体サイネージ３０ｅの表示内容を適用例３と同様に変化させることができる。
【０２０５】
＜適用例４：釣りゲーム＞
図１８〜図２０を参照して、適用例４について説明する。適用例４では、魚を釣るゲームに第２の実施形態の情報中継システムが用いられる。
【０２０６】
図１８に示されるように、適用例４の情報中継システムは、設置端末３０の一例である複数のサイネージ３０ｆと、携帯端末４０の一例であるスマートフォン４０ｄとを含む。
サイネージ３０ｆは、街頭に設置されたデジタルサイネージ等に具体化され、複数のサイネージ３０ｆには、複数のサイネージ３０ｆの表示部が繋がっているように、池と魚が表示される。情報中継サーバ１０が備える設置端末データ１３ａにて、現実の設置場所が隣接しているサイネージ３０ｆの設置端末ＩＤには、隣接する座標情報が対応付けられている。スマートフォン４０ａは、加速度センサーを備えている。
【０２０７】
適用例４では、スマートフォン４０ａが釣竿のように動かされると、情報中継サーバ１０が情報を中継して、サイネージ３０ｆに表示されている魚が釣られる。
図１９および図２０を参照して、適用例４における情報の中継の手順について説明する。
【０２０８】
図１９に示されるように、各端末がウェブサーバ２０から表示データを取得することにより、各端末にウェブページが表示される（ステップＳ４００）。例えば、サイネージ３０ｆに表示される設置端末用ページには、池の中を泳ぐ魚が表示される。そして、各サイネージ３０ｆに表示される池は、隣接するサイネージ３０ｆに表示される池につながっているように表示される。すなわち、複数のサイネージ３０ｆに表示される設置端末用ページによって１つの池が構成される。
【０２０９】
スマートフォン４０ｄに表示される携帯端末用ページには、例えば、図１８の画面Ｉに示されるように、釣竿や操作の指示等が表示される。携帯端末用ページは、例えば、サイネージ３０ｆに表示されているＩＣタグや二次元コードをスマートフォン４０ｄが読み取ることによって、スマートフォン４０ｄに表示される。
【０２１０】
まず、複数のサイネージ３０ｆの協調動作について説明する。ここでは、例として、サイネージ３０ｆＡとサイネージ３０ｆＢとの隣接する２つのサイネージ３０ｆの間で協調動作が行われる場合について説明する。
【０２１１】
サイネージ３０ｆＡにて、表示されている魚が動き、サイネージ３０ｆＢ側の端に到達すると、サイネージ３０ｆＡから、魚が端に到達した画像に表示内容が変更されたことを示す変更情報が情報中継サーバ１０に送信される（ステップＳ４０１）。また、サイネージ３０ｆＡは、変更情報とともに、サイネージ３０ｆＡが有する設置端末ＩＤを情報中継サーバ１０に送信する。
【０２１２】
サイネージ３０ｆＡから情報を受信すると、情報中継サーバ１０の中継処理部１２ａは、設置端末ＩＤに基づいてサイネージ３０ｆＡを識別する（ステップＳ４０２）。そして、端末管理部１２ｂが、設置端末ＩＤと変更情報と設置端末データ１３ａとに基づいて、情報の送信先となる端末を決定する（ステップＳ４０３）。具体的には、端末管理部１２ｂは、設置端末データ１３ａにて、サイネージ３０ｆＡの設置端末ＩＤと対応付けられている座標情報とＸＹ平面上にて隣接する位置の座標情報に対応付けられている設置端末ＩＤに対応するサイネージ３０ｆＢを送信先とする。
【０２１３】
中継処理部１２ａは、変更情報と端末管理部１２ｂが決定した送信先とに基づき、サイネージ３０ｆＢに送信する中継情報を整え（ステップＳ４０４）、中継情報は、サイネージ３０ｆＢに送信される（ステップＳ４０５）。サイネージ３０ｆＢは、情報中継サーバ１０から中継情報を受信すると、中継情報に基づいて、更新データを生成する（ステップＳ４０６）。例えば、更新データは、サイネージ３０ｆＡ側の端から魚が動き出す画像のデータである。更新データが生成されると、サイネージ３０ｆＢにて、更新データが適用される（ステップＳ４０７）。これにより、サイネージ３０ｆＡの表示部とサイネージ３０ｆＢの表示部が繋がっているように、各サイネージ３０ｆの設置端末用ページに表示されている魚が移動する。
【０２１４】
こうした処理が複数のサイネージ３０ｆと情報中継サーバ１０との間で繰り返されることによって、複数のサイネージ３０ｆが協調動作し、複数のサイネージ３０ｆに表示される池の中で魚が移動する。
【０２１５】
次に、スマートフォン４０ｄからの情報が中継される手順について説明する。
ユーザがスマートフォン４０ｄをシェイクすることによって、スマートフォン４０ｄの入力装置から入力信号が入力される（ステップＳ４０８）。そして、スマートフォン４０ｄがシェイクされたことを示す操作情報が、携帯端末ＩＤとともに、スマートフォン４０ｄから情報中継サーバ１０に送信される（ステップＳ４０９）。
【０２１６】
図２０に示されるように、スマートフォン４０ｄから情報を受信すると、情報中継サーバ１０の中継処理部１２ａは、携帯端末ＩＤに基づいてスマートフォン４０ｄを識別する（ステップＳ４１０）。そして、端末管理部１２ｂが、携帯端末ＩＤと操作情報と設置端末データ１３ａとに基づいて、情報の送信先となる端末を決定する（ステップＳ４１１）。端末管理部１２ｂは、例えば、魚釣りに参加しているスマートフォン４０ｄの数等に応じて、情報の送信先となるサイネージ３０ｆを割り振る。情報の送信元の端末と情報の送信先の端末との組み合わせは、記憶部１３に記憶される。ここでは、送信先がサイネージ３０ｆＡとされた場合について説明する。
【０２１７】
中継処理部１２ａは、操作情報と端末管理部１２ｂが決定した送信先とに基づき、サイネージ３０ｆＡに送信する中継情報を整え（ステップＳ４１２）、中継情報は、サイネージ３０ｆＡに送信される（ステップＳ４１３）。サイネージ３０ｆＡは、情報中継サーバ１０から中継情報を受信すると、中継情報に基づいて、更新データを生成する（ステップＳ４１４）。例えば、更新データは、サイネージ３０ｆＡに表示されている池に、釣竿が入れられる画像のデータである。更新データが生成されると、サイネージ３０ｆＡにて、更新データが適用される（ステップＳ４１５）。これにより、例えば、図１８の画面Ｍに示されるように、設置端末用ページに釣竿が表示される等、サイネージ３０ｆＡの表示内容が変化する。
【０２１８】
表示内容が変化すると、サイネージ３０ｆＡから、表示内容が変更されたことを示す変更情報が設置端末ＩＤとともに情報中継サーバ１０に送信される（ステップＳ４１６）。
サイネージ３０ｆＡから情報を受信すると、情報中継サーバ１０の中継処理部１２ａは、設置端末ＩＤに基づいてサイネージ３０ｆＡを識別する（ステップＳ４１７）。そして、端末管理部１２ｂが、設置端末ＩＤと変更情報と記憶部１３に記憶されたデータとに基づいて、情報の送信先となる端末を決定する（ステップＳ４１８）。情報の送信先は、記憶部１３に記憶されている情報の送信元の端末と情報の送信先の端末との組み合わせに基づいて、情報中継サーバ１０を介してサイネージ３０ｆＡに情報を送ったスマートフォン４０ｄとされる。
【０２１９】
中継処理部１２ａは、変更情報と端末管理部１２ｂが決定した送信先とに基づき、スマートフォン４０ｄに送信する中継情報を整え（ステップＳ４１９）、中継情報は、スマートフォン４０ｄに送信される（ステップＳ４２０）。スマートフォン４０ｄは、情報中継サーバ１０から中継情報を受信すると、中継情報に基づいて、更新データを生成する（ステップＳ４２１）。例えば、更新データは、池に釣竿が入ったことを示す画像のデータである。更新データが生成されると、スマートフォン４０ｄにて、更新データが適用される（ステップＳ４２２）。これにより、例えば、図１８の画面Ｊに示されるように、携帯端末用ページに池に入った釣竿が表示される等、スマートフォン４０ｄの表示内容が変化する。
【０２２０】
以後、ステップＳ４０８〜ステップＳ４２２の処理が繰り返され、情報中継サーバ１０がスマートフォン４０ｄとサイネージ３０ｆＡとの間で情報を中継することにより、魚釣りゲームが進められる。例えば、スマートフォン４０ａが傾けられると、サイネージ３０ｆＡに表示されている釣竿が動く。また、図１８の画面Ｎに示されるように、サイネージ３０ｆＡにて、釣竿が魚にあたって魚が釣竿に食いつくと、図１８の画面Ｋに示されるように、スマートフォン４０ｄに、魚が食いついたことを示す画像が表示される。また、魚が食いついたことを示す画像が表示されているときに、スマートフォン４０ａがシェイクされると、図１８の画面Ｏに示されるように、サイネージ３０ｆＡに表示されている魚が釣り上げられる。サイネージ３０ｆＡにて魚が釣り上げられると、図１８の画面Ｌに示されるように、スマートフォン４０ｄに、釣り上げた魚の情報が表示される。
【０２２１】
なお、例えば、釣竿に食いついている魚がサイネージ３０ｆＡの端に到達した場合、ステップＳ４０１〜ステップＳ４０７の処理と同様に、情報中継サーバ１０がサイネージ３０ｆＡとサイネージ３０ｆＢとの間で情報を中継することによって、釣竿と魚の表示がサイネージ３０ｆＡからサイネージ３０ｆＢへ移動する。これに伴い、情報中継サーバ１０は、スマートフォン４０ｄからの情報の送信先をサイネージ３０ｆＡからサイネージ３０ｆＢに切り替える。そして以後は、情報中継サーバ１０がスマートフォン４０ｄとサイネージ３０ｆＢとの間で情報を中継することによって、サイネージ３０ｆを移動しながらゲームが続けられる。
【０２２２】
また、情報中継サーバ１０が、複数のスマートフォン４０ｄからの情報をサイネージ３０ｆへ中継することにより、複数のユーザが同時にゲームに参加できる。また、各スマートフォン４０ｄの携帯端末ＩＤと、各スマートフォン４０ｄによって釣られた魚の情報とが対応付けられて携帯端末データ１３ｂに登録され、例えば、釣った魚の大きさ順にランキングが表示されてもよい。
【０２２３】
以上のように、適用例４では、スマートフォン４０ｄが操作されることに基づいて、複数のサイネージ３０ｆおよびスマートフォン４０ｄの表示内容が変化して、釣りゲームが行われる。
【０２２４】
なお、適用例４では、第２の実施形態の情報中継システムが適用される例を説明した。これに代えて、第２の実施形態と第３の実施形態とを組み合わせた情報中継システム、すなわち、情報中継サーバ１０が端末の表示内容を指示する情報中継システムによっても、スマートフォン４０ｄの操作に基づいて、サイネージ３０ｆおよびスマートフォン４０ｄの表示内容を適用例４と同様に変化させることができる。
【０２２５】
＜適用例５：花火大会＞
図２１〜図２４を参照して、適用例５について説明する。適用例５では、花火の打ち上げに第２の実施形態と第３の実施形態とが組み合わされた情報中継システムが用いられる。適用例５では、情報中継サーバ１０が、ＳＮＳ等の会員制のウェブサイトである会員制サイトを提供する会員制サイトサーバ５０と連携する。
【０２２６】
図２１に示されるように、適用例５の情報中継システムは、設置端末３０の一例であるサイネージ３０ｇと、携帯端末４０の一例であるスマートフォン４０ｅとを含む。
サイネージ３０ｇは、街頭に設置されたデジタルサイネージ等に具体化され、花火と、ユーザが会員制サイトで使用しているユーザ名や自己紹介のためのプロフィール画像等とが表示される。スマートフォン４０ｅは、タッチパネルを備えている。
【０２２７】
適用例５では、スマートフォン４０ｅの所定の箇所がタップされると、情報中継サーバ１０が情報を中継して、サイネージ３０ｇに表示されている花火の打ち上げの状態が変化する。
【０２２８】
図２２〜図２４を参照して、適用例５における情報の中継の手順について説明する。
図２２に示されるように、各端末がウェブサーバ２０から表示データを取得することにより、各端末にウェブページが表示される（ステップＳ５００）。例えば、サイネージ３０ｇに表示される設置端末用ページには、花火が打ち上げられる位置を示す画像が表示される。
【０２２９】
スマートフォン４０ｅに表示される携帯端末用ページには、例えば、会員制サイトの認証情報を含む会員情報の入力欄や、情報中継サーバ１０がユーザに代わって会員制サイトサーバ５０にアクセスすることについての許可を求める表示が表示される。ユーザは、携帯端末用ページの指示に従って、情報中継サーバ１０が会員制サイトサーバ５０にアクセスすることの許可や会員情報の入力を行う。ユーザによって入力された情報は、スマートフォン４０ｅから情報中継サーバ１０へ携帯端末ＩＤとともに送信される（ステップＳ５０１）。
【０２３０】
スマートフォン４０ｅから情報を受信すると、情報中継サーバ１０の中継処理部１２ａは、携帯端末ＩＤに基づいてスマートフォン４０ｅを識別する（ステップＳ５０２）。そして、端末管理部１２ｂが、携帯端末ＩＤと会員情報とを対応付けて携帯端末データ１３ｂとして登録する（ステップＳ５０３）。
【０２３１】
情報中継サーバ１０は、携帯端末ＩＤと対応付けられた会員情報を会員制サイトサーバ５０へ送信して、会員制サイトサーバ５０に会員情報に対応するユーザ名とプロフィール画像のデータとを要求する（ステップＳ５０４）。要求を受けた会員制サイトサーバ５０は、情報中継サーバ１０から受信した会員情報に対して認証を行って、会員情報に対応するユーザ名とプロフィール画像のデータとを情報中継サーバ１０に送信する（ステップＳ５０５）。
【０２３２】
図２３に示されるように、会員制サイトサーバ５０からデータを受信すると、情報中継サーバ１０の指示情報生成部１２ｃは、指示情報を生成する（ステップＳ５０６）。指示情報は、会員制サイトサーバ５０から受信したユーザ名とプロフィール画像のデータとを含み、設置端末用ページの所定の箇所にユーザ名とプロフィール画像とを表示させることを指示する情報である。なお、情報中継サーバ１０は、携帯端末ＩＤと、携帯端末ＩＤに対応付けられている会員情報に対応するユーザ名およびプロフィール画像を表示させる花火の打ち上げ位置とを対応付けて、記憶部１３に記憶する。
【０２３３】
指示情報が生成されると、情報中継サーバ１０は、指示情報と情報の送信先となるサイネージ３０ｇを示す情報とをウェブサーバ２０に送信する（ステップＳ５０７）。情報中継サーバ１０から情報を受信すると、ウェブサーバ２０のデータ変換部２２ｂは、指示情報に基づいて、更新データを生成する（ステップＳ５０８）。更新データが生成されると、ウェブサーバ２０は、サイネージ３０ｇに更新データを送信する（ステップＳ５０９）。
【０２３４】
ウェブサーバ２０から更新データを受信すると、サイネージ３０ｇは、設置端末用ページに更新データを適用する（ステップＳ５１０）。これにより、設置端末用ページの花火が打ち上げられる位置にユーザ名とプロフィール画像とが表示される。
【０２３５】
会員情報が送信されると、スマートフォン４０ｅはウェブサーバ２０から新たな表示データを取得し、携帯端末用ページには、花火の種類や色を選択する選択欄や花火の打ち上げについての操作の指示等が表示される。ユーザが花火の種類や色を選択し、スマートフォン４０ｅの表示部をタップすることによって、スマートフォン４０ｅの入力装置から入力信号が入力される（ステップＳ５１１）。そして、スマートフォン４０ｅに対してタップが行われたことと、入力された花火の種類や色とを示す操作情報が、携帯端末ＩＤとともに、スマートフォン４０ｅから情報中継サーバ１０に送信される（ステップＳ５１２）。
【０２３６】
図２４に示されるように、スマートフォン４０ｅから情報を受信すると、情報中継サーバ１０の中継処理部１２ａは、携帯端末ＩＤに基づいてスマートフォン４０ｅを識別する（ステップＳ５１３）。そして、端末管理部１２ｂが、操作情報を受信したことに基づき、サイネージ３０ｇを情報の送信先とする（ステップＳ５１４）。さらに、指示情報生成部１２ｃは、携帯端末ＩＤや操作情報や端末管理部１２ｂが決定した送信先等に基づき、指示情報を生成する（ステップＳ５１５）。指示情報は、設置端末用ページにて、携帯端末ＩＤに対応付けられている会員情報に対応するユーザ名およびプロフィール画像が表示されている位置から、操作情報によって示される種類や色の花火が打ち上げられる画像を表示させることを指示する情報である。
【０２３７】
指示情報が生成されると、情報中継サーバ１０は、指示情報と情報の送信先となるサイネージ３０ｇを示す情報とをウェブサーバ２０に送信する（ステップＳ５１６）。
情報中継サーバ１０から情報を受信すると、データ変換部２２ｂが、指示情報に基づいて、更新データを生成し（ステップＳ５１７）、更新データが、サイネージ３０ｇに送信される（ステップＳ５１８）。ウェブサーバ２０から更新データを受信すると、サイネージ３０ｇは、設置端末用ページに更新データを適用する（ステップＳ５１９）。これにより、設置端末用ページには、ユーザ名とプロフィール画像とが表示された位置から、ユーザが指定した種類や色の花火が打ち上げられる画像が表示される。
【０２３８】
なお、ステップＳ５１１〜ステップＳ５１９の処理が繰り返されることによって、スマートフォン４０ｅがタップされるたびに、サイネージ３０ｇにて花火が高く打ち上げられるように表示内容が変更されてもよい。また、情報中継サーバ１０が、複数のスマートフォン４０ｅからの情報をサイネージ３０ｇへ中継することにより、複数のユーザが同時に花火大会に参加できる。また、複数のサイネージ３０ｇが用意され、情報中継サーバ１０によって複数のサイネージ３０ｇの間で情報が中継されたり、情報中継サーバ１０が複数のサイネージ３０ｇへ送信する情報を制御したりすることによって、複数のサイネージ３０ｇにて連携して花火が打ち上げられる画像が表示されてもよい。
【０２３９】
また、サイネージ３０ｇに表示された花火の画像のデータが、情報中継サーバ１０から会員情報とともに会員制サイトサーバ５０に送られて、例えば会員制サイトが有するユーザごとのページに花火の画像が投稿されてもよい。
【０２４０】
以上のように、適用例５では、情報中継サーバ１０が会員制サイトサーバ５０と連携し、スマートフォン４０ｅが操作されることに基づいて、サイネージ３０ｇに花火が打ち上げられる画像が表示される。
【０２４１】
＜他の適用例＞
情報中継サーバ、情報中継システム、および、情報中継方法は、以下の情報伝達の形態に適用してもよい。
【０２４２】
・［火の輪くぐりゲーム］スタート位置が表示される設置端末３０と、火の輪が表示される設置端末３０と、ゴール地点が表示される設置端末３０とが用意される。携帯端末４０には、猛獣が表示される。猛獣は、例えば、ユーザが育成ゲーム等によって育てている動物でもよい。携帯端末４０から設置端末３０へ、情報中継サーバ１０が情報を中継することによって、猛獣が設置端末３０に表示される。そして、各設置端末３０の間、および、各設置端末３０と携帯端末４０との間で、情報中継サーバ１０が情報を中継することにより、携帯端末４０の操作に基づいて、猛獣が３つの設置端末３０の表示部に順に表示され、スタート位置から、火の輪をくぐり、ゴール地点まで動く。
【０２４３】
・［課題達成ゲーム］参加申請をした複数の携帯端末４０の各々には、課題が表示される。ユーザが課題を達成すると、携帯端末４０から設置端末３０へ、情報中継サーバ１０が情報を中継して、設置端末３０に表示される課題の達成度が変化する。複数の携帯端末４０にて課題が達成され、課題の達成度が所定の条件を満たすと、設置端末３０から携帯端末４０へ、情報中継サーバ１０が情報を中継して、報酬が携帯端末４０に表示される。
【０２４４】
・［テレビ会議］設置端末３０は、例えば、互いに異なる国に設置されて、テレビ会議等に用いられる。携帯端末４０はカメラを備えている。携帯端末４０から設置端末３０へ情報中継サーバ１０が情報を中継することによって、設置端末３０に、携帯端末４０のカメラで撮られたユーザの顔が、参加者のすべてについて表示される。また、例えば会議の内容等が集約された情報が設置端末３０に表示される。
【０２４５】
・［注文システム］飲食店等において、席ごとに異なる携帯端末用ページが用意され、ユーザは携帯端末４０に表示させた携帯端末用ページに注文を入力する。設置端末３０は、飲食店のスタッフが確認可能な位置に設置される。携帯端末４０から設置端末３０へ、情報中継サーバ１０が情報を中継することによって、設置端末３０には、注文の内容と注文が行われた席とが表示される。
【符号の説明】
【０２４６】
１０…情報中継サーバ、１１…通信部、１２…制御部、１２ａ…中継処理部、１２ｂ…端末管理部、１２ｃ…指示情報生成部、１３…記憶部、１３ａ…設置端末データ、１３ｂ…携帯端末データ、２０…ウェブサーバ、２１…通信部、２２…制御部、２２ａ…データ読み出し部、２２ｂ…データ変換部、２３…記憶部、２３ａ…ウェブページデータ、３０…設置端末、４０…携帯端末、ＮＷ…ネットワーク。
【図１】
2015018347.tif 000003
【図２】
2015018347.tif 000004
【図３】
2015018347.tif 000005
【図４】
2015018347.tif 000006
【図５】
2015018347.tif 000007
【図６】
2015018347.tif 000008
【図７】
2015018347.tif 000009
【図８】
2015018347.tif 000010
【図９】
2015018347.tif 000011
【図１０】
2015018347.tif 000012
【図１１】
2015018347.tif 000013
【図１２】
2015018347.tif 000014
【図１３】
2015018347.tif 000015
【図１４】
2015018347.tif 000016
【図１５】
2015018347.tif 000017
【図１６】
2015018347.tif 000018
【図１７】
2015018347.tif 000019
【図１８】
2015018347.tif 000020
【図１９】
2015018347.tif 000021
【図２０】
2015018347.tif 000022
【図２１】
2015018347.tif 000023
【図２２】
2015018347.tif 000024
【図２３】
2015018347.tif 000025
【図２４】
2015018347.tif 000026